(57)【要約】  【課題】  小型で携帯性に優れ、しかも使用時の取り扱いが容易な使い捨てカイロを提供する。  【解決手段】  通気性シート６と非通気性シート７とを周縁部でシールして内側の発熱剤収納部１０に発熱剤４を封入したカイロ本体２と、このカイロ本体２の外側に形成された粘着層１１と、カイロ本体２を気密状に覆う包装シート３とを備え、発熱剤収納部１０は２本のシール部９ａ，９ｂにより左右に３つに区分され、包装シート３は、その縁部がカイロ本体２の前後両端側と左右の少なくとも一端側とに張り出した状態で粘着層１１の外側に剥離可能に装着され、カイロ本体２及び包装シート３はシール部９ａ，９ｂに沿って折り畳まれ、張り出し部１６ａに沿って左右方向に、張り出し部１６ｂに沿って前後方向に、夫々シールされることにより包装シート３が袋状に封止されているものである。【選択図】  図３
2005304613.tif 000002
【特許請求の範囲】
【請求項１】
略同一形状の通気性シート(６)と非通気性シート(７)とを周縁部で互いにシールしてそのシール部の内側の発熱剤収納部(１０)に粉体状の発熱剤(４)を封入した扁平状のカイロ本体(２)と、このカイロ本体(２)の前記非通気性シート(７)の外面側に形成された粘着層(１１)と、前記カイロ本体(２)の周囲を気密状に覆う包装シート(３)とを備えた使い捨てカイロであって、前記カイロ本体(２)は、前後方向に形成された略平行な２本の中間シール部(９ａ)(９ｂ)により前記発熱剤収納部(１０)が左右方向に３つに区分され、前記包装シート(３)は、その縁部が前記カイロ本体(２)の前後方向の両端側と左右方向の少なくとも一端側とに張り出した状態で、前記粘着層(１１)に沿って剥離可能に装着され、前記カイロ本体(２)及び前記包装シート(３)は、前記包装シート(３)が前記カイロ本体(２)を外側から巻き込み且つ前記包装シート(３)の左右一端側の張り出し部(１６ｂ)が他端側において前記包装シート(３)の外側に重なるように、前記中間シール部(９ａ)(９ｂ)に沿って折り畳まれており、更に前記包装シート(３)は、前記カイロ本体(２)の前後の張り出し部(１６ａ)に沿って夫々左右方向に、前記張り出し部(１６ｂ)に沿って前後方向に、夫々シールされることにより袋状に封止されていることを特徴とする使い捨てカイロ。
【請求項２】
略同一形状の通気性シート(６)と非通気性シート(７)とを周縁部で互いにシールしてそのシール部の内側の発熱剤収納部(１０)に粉体状の発熱剤(４)を封入した扁平状のカイロ本体(２)と、このカイロ本体(２)の前記非通気性シート(７)の外面側に形成された粘着層(１１)と、該粘着層(１１)を剥離可能に覆う離型シート(２１１)と、前記カイロ本体(２)の周囲を気密状に覆う包装シート(３)とを備えた使い捨てカイロであって、前記カイロ本体(２)は、前後方向に形成された略平行な２本の中間シール部(９ａ)(９ｂ)により前記発熱剤収納部(１０)が左右方向に３つに区分され、前記包装シート(３)は、その縁部が前記カイロ本体(２)の前後方向の両端側と左右方向の少なくとも一端側とに張り出した状態で、前記離型シート(２１１)に沿って装着されると共に、前記離型シート(２１１)に対して接着され、前記カイロ本体(２)、前記離型シート(２１１)及び前記包装シート(３)は、前記包装シート(３)が前記離型シート(２１１)を介して前記カイロ本体(２)を外側から巻き込み且つ前記包装シート(３)の左右一端側の張り出し部(１６ｂ)が他端側において前記包装シート(３)の外側に重なるように、前記中間シール部(９ａ)(９ｂ)に沿って折り畳まれており、更に前記包装シート(３)は、前記カイロ本体(２)の前後の張り出し部(１６ａ)に沿って夫々左右方向に、前記張り出し部(１６ｂ)に沿って前後方向に、夫々シールされることにより袋状に封止されていることを特徴とする使い捨てカイロ。
【請求項３】
左右両側の発熱剤収納部(１０ａ)(１０ｃ)の幅は、共に中央の発熱剤収納部(１０ｂ)の幅と略同じかそれよりも小さく形成されていることを特徴とする請求項１又は２に記載の使い捨てカイロ。
【請求項４】
略同一形状の通気性シート(６)と非通気性シート(７)とを周縁部で互いにシールして袋状に形成した発熱剤収納部(１０)に粉体状の発熱剤(４)を封入した扁平状のカイロ本体(２)と、このカイロ本体(２)の前記非通気性シート(７)の外面側に形成された粘着層(１１)と、前記カイロ本体(２)の周囲を気密状に覆う包装シート(３)とを備えた使い捨てカイロを製造する方法であって、片面側に剥離層(１２)が形成された前記包装シート(３)の前記剥離層(１２)側、又は前記カイロ本体(２)の前記非通気性シート(７)側に粘着層(１１)を形成する粘着層形成工程(Ｓ３ｂ)と、前後方向に形成された略平行な２本の中間シール部(９ａ)(９ｂ)により前記発熱剤収納部(１０)が左右方向に３つに区分された前記カイロ本体(２)を、その非通気性シート(７)と前記包装シート(３)とで前記粘着層(１１)を挟み、且つ前記包装シート(３)の縁部が当該カイロ本体(２)の前後方向の両端側と左右方向の少なくとも一端側とに張り出すように前記包装シート(３)上に装着するカイロ本体装着工程(Ｓ４)と、前記カイロ本体(２)及び前記包装シート(３)を、前記通気性シート(６)が内側となり、且つ前記包装シート(３)の左右一端側の張り出し部(１６ｂ)が他端側において前記包装シート(３)の外側に重なるように、２つの中間シール部(９ａ)(９ｂ)に沿って両端側の発熱剤収納部(１０ａ)(１０ｃ)側を中央の発熱剤収納部(１０ｂ)側に折り畳む折り畳み工程(Ｓ５)と、前記包装シート(３)を、前記カイロ本体(２)の前後の張り出し部(１６ａ)に沿って夫々左右方向に、前記張り出し部(１６ｂ)に沿って前後方向に、夫々シールすることにより前記包装シート(３)を袋状に封止する封止工程(Ｓ６)とを備えたことを特徴とする使い捨てカイロの製造方法。
【請求項５】
略同一形状の通気性シート(６)と非通気性シート(７)とを周縁部で互いにシールして袋状に形成した発熱剤収納部(１０)に粉体状の発熱剤(４)を封入した扁平状のカイロ本体(２)と、このカイロ本体(２)の前記非通気性シート(７)の外面側に形成された粘着層(１１)と、該粘着層(１１)を剥離可能に覆う離型シート(２１１)と、前記カイロ本体(２)の周囲を気密状に覆う包装シート(３)とを備えた使い捨てカイロを製造する方法であって、片面側に剥離層(１２)が形成された前記離型シート(２１１)の前記剥離層(１２)側、又は前記カイロ本体(２)の前記非通気性シート(７)側に粘着層(１１)を形成する粘着層形成工程Ｓ(１１ｂ)と、前記カイロ本体(２)を構成する前記非通気性シート(７)と前記離型シート(２１１)とで前記粘着層(１１)を挟むように前記非通気性シート(７)に前記離型シート(２１１)を装着する離型シート装着工程(Ｓ１２)と、包装シート(３)側の所定位置に接着層(２１２)を形成する接着層形成工程(Ｓ３ｃ)と、前後方向に形成された略平行な２本の中間シール部(９ａ)(９ｂ)により前記発熱剤収納部(１０)が左右方向に３つに区分され且つ前記離型シート(２１１)が装着された前記カイロ本体(２)を、前記離型シート(２１１)が前記接着層(２１２)に重なり、且つ前記包装シート(３)の縁部が当該カイロ本体(２)の前後方向の両端側と左右方向の少なくとも一端側とに張り出すように前記包装シート(３)上に装着するカイロ本体装着工程(Ｓ４)と、前記離型シート(２１１)と前記包装シート(３)とを前記接着層(２１２)により接着させる接着工程(Ｓ４１)と、前記カイロ本体(２)及び前記包装シート(３)を、前記通気性シート(６)が内側となり、且つ前記包装シート(３)の左右一端側の張り出し部(１６ｂ)が他端側において前記包装シート(３)の外側に重なるように、２つの中間シール部(９ａ)(９ｂ)に沿って両端側の発熱剤収納部(１０ａ)(１０ｃ)側を中央の発熱剤収納部(１０ｂ)側に折り畳む折り畳み工程(Ｓ５)と、前記包装シート(３)を、前記カイロ本体(２)の前後の張り出し部(１６ａ)に沿って夫々左右方向に、前記張り出し部(１６ｂ)に沿って前後方向に、夫々シールすることにより前記包装シート(３)を袋状に封止する封止工程(Ｓ６)とを備えたことを特徴とする使い捨てカイロの製造方法。
【請求項６】
前記カイロ本体(２)を製造し且つそのカイロ本体(２)を搬送方向に整列させた状態で連続的に下流側に供給するカイロ本体製造工程(Ｓ１)を備え、このカイロ本体製造工程(Ｓ１)とその下流側の前記カイロ本体装着工程(Ｓ４)との間に、前記カイロ本体製造工程(Ｓ１)から供給される前記カイロ本体(２)の搬送方向の整列間隔を広げる搬送方向整列間隔変更工程(Ｓ２ａ)を備えたことを特徴とする請求項４又は５に記載の使い捨てカイロの製造方法。
【請求項７】
前記カイロ本体製造工程(Ｓ１)は、カイロ本体(２)を複数列で下流側に供給するように構成され、前記カイロ本体製造工程(Ｓ１)と前記カイロ本体装着工程(Ｓ４)との間に、前記カイロ本体製造工程(Ｓ１)から供給される前記カイロ本体(２)の並列方向の整列間隔を広げる並列方向整列間隔変更工程(Ｓ２ｂ)を備えたことを特徴とする請求項６に記載の使い捨てカイロの製造方法。
【請求項８】
略同一形状の通気性シート(６)と非通気性シート(７)とを周縁部で互いにシールして袋状に形成した発熱剤収納部(１０)に粉体状の発熱剤(４)を封入した扁平状のカイロ本体(２)と、このカイロ本体(２)の前記非通気性シート(７)の外面側に形成された粘着層(１１)と、前記カイロ本体(２)の周囲を気密状に覆う包装シート(３)とを備えた使い捨てカイロを製造する装置であって、片面側に剥離層(１２)が形成された前記包装シート(３)の前記剥離層(１２)側、又は前記カイロ本体(２)の前記非通気性シート(７)側に粘着層(１１)を形成する粘着層形成装置(１２５)と、前後方向に形成された略平行な２本の中間シール部(９ａ)(９ｂ)により前記発熱剤収納部(１０)が左右方向に３つに区分された前記カイロ本体(２)を、その非通気性シート(７)と前記包装シート(３)とで前記粘着層(１１)を挟み、且つ前記包装シート(３)の縁部が当該カイロ本体(２)の前後方向の両端側と左右方向の少なくとも一端側とに張り出すように前記包装シート(３)上に装着するカイロ本体装着装置(２４)と、前記カイロ本体(２)及び前記包装シート(３)を、前記通気性シート６が内側となり、且つ前記包装シート(３)の左右一端側の張り出し部(１６ｂ)が他端側において前記包装シート(３)の外側に重なるように、２つの中間シール部(９ａ)(９ｂ)に沿って両端側の発熱剤収納部(１０ａ)(１０ｃ)側を中央の発熱剤収納部(１０ｂ)側に折り畳む折り畳み装置(２５)と、前記包装シート(３)を、前記カイロ本体(２)の前後の張り出し部(１６ａ)に沿って夫々左右方向に、前記張り出し部(１６ｂ)に沿って前後方向に、夫々シールすることにより前記包装シート(３)を袋状に封止する封止装置(２６)とを備えたことを特徴とする使い捨てカイロの製造装置。
【請求項９】
略同一形状の通気性シート(６)と非通気性シート(７)とを周縁部で互いにシールして袋状に形成した発熱剤収納部(１０)に粉体状の発熱剤(４)を封入した扁平状のカイロ本体(２)と、このカイロ本体(２)の前記非通気性シート(７)の外面側に形成された粘着層(１１)と、該粘着層(１１)を剥離可能に覆う離型シート(２１１)と、前記カイロ本体(２)の周囲を気密状に覆う包装シート(３)とを備えた使い捨てカイロを製造する装置であって、片面側に剥離層(１２)が形成された前記離型シート(２１１)の前記剥離層(１２)側、又は前記カイロ本体(２)の前記非通気性シート７側に粘着層(１１)を形成する粘着層形成装置(２１７)と、前記カイロ本体(２)を構成する前記非通気性シート(７)と前記離型シート(２１１)とで前記粘着層(１１)を挟むように前記非通気性シート(７)に前記離型シート(２１１)を装着する離型シート装着装置(２１４)と、包装シート(３)側の所定位置に接着層(２１２)を形成する接着層形成装置(２２１)と、前後方向に形成された略平行な２本の中間シール部(９ａ)(９ｂ)により前記発熱剤収納部(１０)が左右方向に３つに区分され且つ前記離型シート(２１１)が装着された前記カイロ本体(２)を、前記離型シート(２１１)が前記接着層(２１２)に重なり、且つ前記包装シート(３)の縁部が当該カイロ本体(２)の前後方向の両端側と左右方向の少なくとも一端側とに張り出すように前記包装シート(３)上に装着するカイロ本体装着装置(２４)と、前記離型シート(２１１)と前記包装シート(３)とを前記接着層(２１２)により接着させる接着装置(２４ａ)と、前記カイロ本体(２)及び前記包装シート(３)を、前記通気性シート(６)が内側となり、且つ前記包装シート(３)の左右一端側の張り出し部(１６ｂ)が他端側において前記包装シート(３)の外側に重なるように、２つの中間シール部(９ａ)(９ｂ)に沿って両端側の発熱剤収納部(１０ａ)(１０ｃ)側を中央の発熱剤収納部(１０ｂ)側に折り畳む折り畳み装置(２５)と、前記包装シート(３)を、前記カイロ本体(２)の前後の張り出し部(１６ａ)に沿って夫々左右方向に、前記張り出し部(１６ｂ)に沿って前後方向に、夫々シールすることにより前記包装シート(３)を袋状に封止する封止装置(２６)とを備えたことを特徴とする使い捨てカイロの製造装置。
【請求項１０】
前記カイロ本体(２)を製造し且つそのカイロ本体(２)を搬送方向に整列させた状態で連続的に下流側に供給するカイロ本体製造装置(２２)を備え、このカイロ本体製造装置(２２)とその下流側の前記カイロ本体装着装置(２４)との間に、前記カイロ本体製造装置(２２)から供給される前記カイロ本体(２)の搬送方向の整列間隔を広げる搬送方向整列間隔変更装置(１３６)を備えたことを特徴とする請求項８又は９に記載の使い捨てカイロの製造装置。
【請求項１１】
前記カイロ本体製造装置(２２)は、カイロ本体(２)を複数列で下流側に供給するように構成され、前記カイロ本体製造装置(２２)と前記カイロ本体装着装置(２４)との間に、前記カイロ本体製造装置(２２)から供給される前記カイロ本体(２)の並列方向の整列間隔を広げる並列方向整列間隔変更装置(１３７)を備えたことを特徴とする請求項１０に記載の使い捨てカイロの製造装置。
【発明の詳細な説明】
【技術分野】
【０００１】
本発明は、略同一形状の通気性シートと非通気性シートとをその周縁部でシールしてそのシール部の内側の発熱剤収納部に粉体状の発熱剤を封入した扁平状のカイロ本体と、このカイロ本体の非通気性シートの外面側に形成された粘着層と、カイロ本体の周囲を気密状に覆う包装シートとを備えた使い捨てカイロ、及びその製造方法、製造装置に関するものである。
【背景技術】
【０００２】
近年、磁性粉を含有した発熱剤を通気性のある扁平状の袋体内に収納したカイロ本体を、非通気性シートよりなる包装シートの外装袋の中に気密状に封入し、使用時に外装袋を破ってカイロ本体を取り出したときに、空気中の酸素が袋体を通過して磁性粉と反応し、発熱剤が発熱するようにした使い捨てカイロが一般に広く普及している。また、カイロ本体の片面側に粘着層を形成し、衣服等に貼り付けて使用できるようにしたものもある（例えば特許文献１参照）。
【０００３】
また、使い捨てカイロのカイロ本体は、略同一形状の通気性シートと非通気性シートとがその周縁部でシールされ、そのシール部の内側の発熱剤収納部に粉体状の発熱剤が封入されている。
【０００４】
この種の使い捨てカイロは、離型シートで粘着層を覆ったカイロ本体を、外装袋を構成する上下２枚の気密性シートの間に挟み込み、それら気密性シートをカイロ本体の周囲でシールしてその外装袋内に密封したものが一般的である。
【特許文献１】特開２００１−２４７１６５号公報
【発明の開示】
【発明が解決しようとする課題】
【０００５】
従来の使い捨てカイロでは、カイロ本体よりも、そのカイロ本体を外装袋で包装した包装体のほうが大きくなるため、カイロ本体の表面積が大きい場合には特に携帯性に欠ける欠点があった。
【０００６】
また、カイロ本体を使用する際には、外装袋を開封してカイロ本体を取り出した後、更に離型シートを剥がすという２段階のステップを別々に行う必要があると共に、外装袋と離型シートとが別個のゴミとなるため、使用時の取り扱いが非常に煩雑であるという欠点もあった。
【０００７】
本発明は、このような従来の問題点に鑑み、小型で携帯性に優れ、しかも使用時の取り扱いが容易な使い捨てカイロ、その製造方法及び製造装置を提供することを目的とする。
【課題を解決するための手段】
【０００８】
本発明の第１の使い捨てカイロは、略同一形状の通気性シート６と非通気性シート７とを周縁部で互いにシールしてそのシール部の内側の発熱剤収納部１０に粉体状の発熱剤４を封入した扁平状のカイロ本体２と、このカイロ本体２の前記非通気性シート７の外面側に形成された粘着層１１と、前記カイロ本体２の周囲を気密状に覆う包装シート３とを備えた使い捨てカイロであって、前記カイロ本体２は、前後方向に形成された略平行な２本の中間シール部９ａ，９ｂにより前記発熱剤収納部１０が左右方向に３つに区分され、前記包装シート３は、その縁部が前記カイロ本体２の前後方向の両端側と左右方向の少なくとも一端側とに張り出した状態で、前記粘着層１１に沿って剥離可能に装着され、前記カイロ本体２及び前記包装シート３は、前記包装シート３が前記カイロ本体２を外側から巻き込み且つ前記包装シート３の左右一端側の張り出し部１６ｂが他端側において前記包装シート３の外側に重なるように、前記中間シール部９ａ，９ｂに沿って折り畳まれており、更に前記包装シート３は、前記カイロ本体２の前後の張り出し部１６ａに沿って夫々左右方向に、前記張り出し部１６ｂに沿って前後方向に、夫々シールされることにより袋状に封止されているものである。
【０００９】
また、本発明の第２の使い捨てカイロは、略同一形状の通気性シート６と非通気性シート７とを周縁部で互いにシールしてそのシール部の内側の発熱剤収納部１０に粉体状の発熱剤４を封入した扁平状のカイロ本体２と、このカイロ本体２の前記非通気性シート７の外面側に形成された粘着層１１と、該粘着層１１を剥離可能に覆う離型シート２１１と、前記カイロ本体２の周囲を気密状に覆う包装シート３とを備えた使い捨てカイロであって、前記カイロ本体２は、前後方向に形成された略平行な２本の中間シール部９ａ，９ｂにより前記発熱剤収納部１０が左右方向に３つに区分され、前記包装シート３は、その縁部が前記カイロ本体２の前後方向の両端側と左右方向の少なくとも一端側とに張り出した状態で、前記離型シート２１１に沿って装着されると共に、前記離型シート２１１に対して接着され、前記カイロ本体２、前記離型シート２１１及び前記包装シート３は、前記包装シート３が前記離型シート２１１を介して前記カイロ本体２を外側から巻き込み且つ前記包装シート３の左右一端側の張り出し部１６ｂが他端側において前記包装シート３の外側に重なるように、前記中間シール部９ａ，９ｂに沿って折り畳まれており、更に前記包装シート３は、前記カイロ本体２の前後の張り出し部１６ａに沿って夫々左右方向に、前記張り出し部１６ｂに沿って前後方向に、夫々シールされることにより袋状に封止されているものである。
【００１０】
また、本発明の第１の使い捨てカイロ製造方法は、略同一形状の通気性シート６と非通気性シート７とを周縁部で互いにシールして袋状に形成した発熱剤収納部１０に粉体状の発熱剤４を封入した扁平状のカイロ本体２と、このカイロ本体２の前記非通気性シート７の外面側に形成された粘着層１１と、前記カイロ本体２の周囲を気密状に覆う包装シート３とを備えた使い捨てカイロを製造する方法であって、片面側に剥離層１２が形成された前記包装シート３の前記剥離層１２側、又は前記カイロ本体２の前記非通気性シート７側に粘着層１１を形成する粘着層形成工程Ｓ３ｂと、前後方向に形成された略平行な２本の中間シール部９ａ，９ｂにより前記発熱剤収納部１０が左右方向に３つに区分された前記カイロ本体２を、その非通気性シート７と前記包装シート３とで前記粘着層１１を挟み、且つ前記包装シート３の縁部が当該カイロ本体２の前後方向の両端側と左右方向の少なくとも一端側とに張り出すように前記包装シート３上に装着するカイロ本体装着工程Ｓ４と、前記カイロ本体２及び前記包装シート３を、前記通気性シート６が内側となり、且つ前記包装シート３の左右一端側の張り出し部１６ｂが他端側において前記包装シート３の外側に重なるように、２つの中間シール部９ａ，９ｂに沿って両端側の発熱剤収納部１０ａ，１０ｃ側を中央の発熱剤収納部１０ｂ側に折り畳む折り畳み工程Ｓ５と、前記包装シート３を、前記カイロ本体２の前後の張り出し部１６ａに沿って夫々左右方向に、前記張り出し部１６ｂに沿って前後方向に、夫々シールすることにより前記包装シート３を袋状に封止する封止工程Ｓ６とを備えたものである。
【００１１】
また、本発明の第２の使い捨てカイロ製造方法は、略同一形状の通気性シート６と非通気性シート７とを周縁部で互いにシールして袋状に形成した発熱剤収納部１０に粉体状の発熱剤４を封入した扁平状のカイロ本体２と、このカイロ本体２の前記非通気性シート７の外面側に形成された粘着層１１と、該粘着層１１を剥離可能に覆う離型シート２１１と、前記カイロ本体２の周囲を気密状に覆う包装シート３とを備えた使い捨てカイロを製造する方法であって、片面側に剥離層１２が形成された前記離型シート２１１の前記剥離層１２側、又は前記カイロ本体２の前記非通気性シート７側に粘着層１１を形成する粘着層形成工程Ｓ１１ｂと、前記カイロ本体２を構成する前記非通気性シート７と前記離型シート２１１とで前記粘着層１１を挟むように前記非通気性シート７に前記離型シート２１１を装着する離型シート装着工程Ｓ１２と、包装シート３側の所定位置に接着層２１２を形成する接着層形成工程Ｓ３ｃと、前後方向に形成された略平行な２本の中間シール部９ａ，９ｂにより前記発熱剤収納部１０が左右方向に３つに区分され且つ前記離型シート２１１が装着された前記カイロ本体２を、前記離型シート２１１が前記接着層２１２に重なり、且つ前記包装シート３の縁部が当該カイロ本体２の前後方向の両端側と左右方向の少なくとも一端側とに張り出すように前記包装シート３上に装着するカイロ本体装着工程Ｓ４と、前記離型シート２１１と前記包装シート３とを前記接着層２１２により接着させる接着工程Ｓ４１と、前記カイロ本体２及び前記包装シート３を、前記通気性シート６が内側となり、且つ前記包装シート３の左右一端側の張り出し部１６ｂが他端側において前記包装シート３の外側に重なるように、２つの中間シール部９ａ，９ｂに沿って両端側の発熱剤収納部１０ａ，１０ｃ側を中央の発熱剤収納部１０ｂ側に折り畳む折り畳み工程Ｓ５と、前記包装シート３を、前記カイロ本体２の前後の張り出し部１６ａに沿って夫々左右方向に、前記張り出し部１６ｂに沿って前後方向に、夫々シールすることにより前記包装シート３を袋状に封止する封止工程Ｓ６とを備えたものである。
【００１２】
また、本発明の第１の使い捨てカイロ製造装置は、略同一形状の通気性シート６と非通気性シート７とを周縁部で互いにシールして袋状に形成した発熱剤収納部１０に粉体状の発熱剤４を封入した扁平状のカイロ本体２と、このカイロ本体２の前記非通気性シート７の外面側に形成された粘着層１１と、前記カイロ本体２の周囲を気密状に覆う包装シート３とを備えた使い捨てカイロを製造する装置であって、片面側に剥離層１２が形成された前記包装シート３の前記剥離層１２側、又は前記カイロ本体２の前記非通気性シート７側に粘着層１１を形成する粘着層形成装置１２５と、前後方向に形成された略平行な２本の中間シール部９ａ，９ｂにより前記発熱剤収納部１０が左右方向に３つに区分された前記カイロ本体２を、その非通気性シート７と前記包装シート３とで前記粘着層１１を挟み、且つ前記包装シート３の縁部が当該カイロ本体２の前後方向の両端側と左右方向の少なくとも一端側とに張り出すように前記包装シート３上に装着するカイロ本体装着装置２４と、前記カイロ本体２及び前記包装シート３を、前記通気性シート６が内側となり、且つ前記包装シート３の左右一端側の張り出し部１６ｂが他端側において前記包装シート３の外側に重なるように、２つの中間シール部９ａ，９ｂに沿って両端側の発熱剤収納部１０ａ，１０ｃ側を中央の発熱剤収納部１０ｂ側に折り畳む折り畳み装置２５と、前記包装シート３を、前記カイロ本体２の前後の張り出し部１６ａに沿って夫々左右方向に、前記張り出し部１６ｂに沿って前後方向に、夫々シールすることにより前記包装シート３を袋状に封止する封止装置２６とを備えたものである。
【００１３】
また、本発明の第２の使い捨てカイロ製造装置は、略同一形状の通気性シート６と非通気性シート７とを周縁部で互いにシールして袋状に形成した発熱剤収納部１０に粉体状の発熱剤４を封入した扁平状のカイロ本体２と、このカイロ本体２の前記非通気性シート７の外面側に形成された粘着層１１と、該粘着層１１を剥離可能に覆う離型シート２１１と、前記カイロ本体２の周囲を気密状に覆う包装シート３とを備えた使い捨てカイロを製造する装置であって、片面側に剥離層１２が形成された前記離型シート２１１の前記剥離層１２側、又は前記カイロ本体２の前記非通気性シート７側に粘着層１１を形成する粘着層形成装置２１７と、前記カイロ本体２を構成する前記非通気性シート７と前記離型シート２１１とで前記粘着層１１を挟むように前記非通気性シート７に前記離型シート２１１を装着する離型シート装着装置２１４と、包装シート３側の所定位置に接着層２１２を形成する接着層形成装置２２１と、前後方向に形成された略平行な２本の中間シール部９ａ，９ｂにより前記発熱剤収納部１０が左右方向に３つに区分され且つ前記離型シート２１１が装着された前記カイロ本体２を、前記離型シート２１１が前記接着層２１２に重なり、且つ前記包装シート３の縁部が当該カイロ本体２の前後方向の両端側と左右方向の少なくとも一端側とに張り出すように前記包装シート３上に装着するカイロ本体装着装置２４と、前記離型シート２１１と前記包装シート３とを前記接着層２１２により接着させる接着装置２４ａと、前記カイロ本体２及び前記包装シート３を、前記通気性シート６が内側となり、且つ前記包装シート３の左右一端側の張り出し部１６ｂが他端側において前記包装シート３の外側に重なるように、２つの中間シール部９ａ，９ｂに沿って両端側の発熱剤収納部１０ａ，１０ｃ側を中央の発熱剤収納部１０ｂ側に折り畳む折り畳み装置２５と、前記包装シート３を、前記カイロ本体２の前後の張り出し部１６ａに沿って夫々左右方向に、前記張り出し部１６ｂに沿って前後方向に、夫々シールすることにより前記包装シート３を袋状に封止する封止装置２６とを備えたものである。
【発明の効果】
【００１４】
本発明の使い捨てカイロは、上記のように構成されているため、カイロ本体２の面積が大きい場合でも未使用の包装状態では非常にコンパクトで携帯性に優れているという利点がある。
【００１５】
また、第１の使い捨てカイロにおいては、包装シート３が包装シートと離型シートとを兼用しているため、使用時に出るゴミが少なく、地球環境に優しいという利点もある。
【００１６】
また、第２の使い捨てカイロにおいては、包装シート３からカイロ本体２を取り出すだけで、離型シート２１１を意識的に剥離することなく粘着層１１が自然に露出され、しかもカイロ本体２から引き剥がされてゴミとして廃棄される包装シート３と離型シート２１１とは互いに接着されているため、使用時の取り扱いが極めて容易である。
【００１７】
また、本発明の使い捨てカイロ製造方法及び製造装置は、上記のように構成されているため、上記のような使い捨てカイロを容易且つ効率的に製造することができる。
【発明を実施するための最良の形態】
【００１８】
以下、本発明の実施形態を図面に基づいて詳述する。図１〜図２１は本発明を具現化した第１の実施形態を示している。図１〜図３において、１は本発明を具現化した一例としての使い捨てカイロ（以下、単にカイロという）で、カイロ本体２と、このカイロ本体２の外側を覆う包装シート３とを備えている。
【００１９】
カイロ本体２は、粉体状の発熱剤４を略扁平状の袋体５内に封入したものである。発熱剤４は、例えば鉄粉等の磁性粉、水、バーミキュライト、活性炭、塩類等が混合された混合粉体で、酸素と反応して発熱するように構成されている。なお、発熱剤４は、使い捨てカイロ用の材料として一般的なものを使用することができ、その組成は製品の特性、例えば発熱温度や持続時間等に応じて適宜変更可能である。
【００２０】
袋体５は、内部の発熱剤４に酸素を供給できるように少なくともその一部分が通気性を有するように構成され、例えば略同一形状の通気性シート６と非通気性シート７とを、その周縁部の所定幅の外周シール部８において互いにシールすることにより略扁平な袋状に形成され、その外周シール部８の内側の発熱剤収納部１０内に発熱剤４が封入されている。通気性シート６には、例えば不織布シートの内側に合成樹脂フィルムをラミネートして微少な通気口を穿孔したものが使用され、非通気性シート７には、例えば非通気性の合成樹脂フィルムが使用されている。なお、通気性シート６と非通気性シート７とは、これら以外の公知の材料を適宜使用することが可能である。
【００２１】
また、袋体５には、その周縁部の外周シール部８の他に、発熱体収納部１０を３つに区分する２本の中間シール部９ａ，９ｂが略平行に形成されており、それら区分された３つの各発熱体収納部１０ａ，１０ｂ，１０ｃに所定量の発熱剤４が分封されている。中間シール部９ａ，９ｂの幅は、例えば発熱剤収納部１０の厚さの２倍よりも大に形成されている。
【００２２】
本実施形態のカイロ本体２は、袋体５が、例えば前後方向よりも左右方向に長い平面視略長方形に形成され、この長方形を左右方向に配列する３つの長方形に分割するように２本の中間シール部９ａ，９ｂが前後方向に形成されている。これら２本の中間シール部９により区分された３つの長方形状の発熱剤収納部１０ａ〜１０ｃは、長辺（前後方向）の長さは略等しく、短辺（左右方向）の長さは両端側の発熱剤収納部１０ａ，１０ｃに対して中央の発熱剤収納部１０ｂが約２倍、即ち発明剤収納部１０ａ〜１０ｃの短辺の長さの比は略１：２：１となっている。
【００２３】
また、袋体５の角部はＲ状に切り落とされ、更に発熱剤収納部１０ａ〜１０ｃの角部もＲ状に形成されている。なお、各発熱剤収納部１０ａ〜１０ｃは、更に別のシール部により複数に区分してもよい。
【００２４】
カイロ本体２の非通気性シート７の外面側には、例えばその全体に粘着層１１が形成されている。なお、粘着層１１は、必ずしも非通気性シート７の外面側全体に形成する必要はなく、例えばシール部８，９ａ，９ｂを除く領域、即ち各発熱剤収納部１０ａ〜１０ｃに対応する３つの略長方形の領域に形成してもよいし、例えば発熱剤収納部１０ａ〜１０ｃに跨る一部の領域に形成してもよいが、全ての発熱剤収納部１０ａ〜１０ｃに対して粘着層１１を設けることが望ましい。また、粘着層１１は、それら所定範囲内に間欠的、例えば縞状、ドット状に形成してもよい。粘着層１１を縞状、ドット状等に形成すれば、その配置密度を変化させることで粘着力を容易に調整することができ、また肌に直接貼り付けて使用する場合には肌と非通気性シート７との間で通気性を確保できる。
【００２５】
包装シート３は、非通気性シートにより形成されており、カイロ本体２の周囲を気密状に覆うことにより、カイロ本体２の使用時まで発熱剤４への酸素の供給を遮断するようになっている。包装シート３には、シールしたときにそのシール部分が容易に引き剥がし可能な軟接着状態となるいわゆるイージーピールフィルムが用いられている。このイージーピールフィルムよりなる包装シート３は、非通気性の合成樹脂フィルムにイージーピール性を有するスチロール樹脂等をコーティングしたもの等、公知の材料を適宜用いることができる。
【００２６】
包装シート３は、カイロ本体２の形状に応じてそれよりもひとまわり大きな形状（ここでは略長方形）に形成されており、少なくとも前後両端側、及び左右一端側（ここでは発熱剤収納部１０ｃ側）にカイロ本体２よりも所定幅だけ広い張り出し部１６ａ，１６ｂを有している。なお、左右一端側の張り出し部１６ｂは、前後両端側の張り出し部１６ａよりもその張り出し幅が大きくなっている。
【００２７】
また、包装シート３の内面側（カイロ本体２を覆ったときに内側となる側）には、例えば張り出し部１６ａ，１６ｂを除く略全面にシリコン被膜等よりなる剥離層１２が形成されている。なお、剥離層１２は、少なくともカイロ本体２側の粘着層１１に対応する領域に設ければよい。
【００２８】
カイロ１は、図３に示すような状態でカイロ本体２を包装シート３により包装することにより形成されている。即ち、カイロ本体２は、通気性シート６が内側、非通気性シート７が外側になるように、中間シール部９ａ，９ｂに沿って、両端側の発熱剤収納部１０ａ，１０ｃを中央の発熱剤収納部１０ｂの一面側（通気性シート６側）に重ねるように折り畳まれている。
【００２９】
また、包装シート３は、剥離層１２が内側となって粘着層１１の外側を密着状に覆い、且つ発熱剤収納部１０ｃ側の張り出し部１６ｂが、他端側、即ち発熱剤収納部１０ａ側において包装シート３の外面側に重なるように、カイロ本体２の中間シール部９ａ，９ｂに沿って折り畳まれている。更に、包装シート３は、その前後両端側の張り出し部１６ａに左右方向に形成された所定幅の外装シール部１４ａにおいて互いに重なり合う張り出し部１６ａ同士が気密状にシールされ、更に張り出し部１６ｂ上に前後方向に形成された所定幅の外装シール部１４ｂにおいて張り出し部１６ｂとその内側の包装シート３側とが互いに気密状にシールされることにより袋状に封止されている。
【００３０】
包装シート３は、中間シール部９ａ，９ｂに沿った折り曲げ部１３及びその近傍においてカイロ本体２側の中間シール部９ａ，９ｂ及びその近傍に略密着している。また、外装シール部１４ａは、カイロ本体２の前後両端側に近接して設けられている。
【００３１】
なお、包装シート３はイージーピールフィルムにより構成されているため、シール後の外装シール部１４ａ，１４ｂは軟接着状態となる。また、張り出し部１６ｂの端部側、即ち外装シール部１４ｂの外側には、シールされていない非シール部１５が所定幅で形成されている。
【００３２】
カイロ本体２を使用する際には、まず包装シート３の非シール部１５をつまんで外装シール部１４ｂを引き剥がした後、折り畳まれているカイロ本体２を包装シート３と共に広げつつ外装シール部１４ａを引き剥がし、更に包装シート３をカイロ本体２から剥離させて粘着層１１を露出し、カイロ本体２を粘着層１１により衣服の内側等に貼り付ければよい。
【００３３】
このように、本実施形態のカイロ１では、カイロ本体２が２つの中間シール部９ａ，９ｂにおいて折り畳まれた状態で包装シート３により包装されているため、未使用時には小型で携帯性に優れており、また、包装シート３が、カイロ本体２の粘着層１１を剥離可能に覆う離型シートとしての機能と、カイロ本体２を気密状に覆う包装袋としての機能とを併せ持っているため、離型シートと包装袋とを別々に備える従来のカイロと比べて部材数を少なくでき、コストを削減できる他、使用時に出るゴミを削減でき、地球環境に優しいという利点もある。
【００３４】
続いて、上記のようなカイロ１を製造可能な使い捨てカイロ製造方法及び製造装置について説明する。
【００３５】
本実施形態の使い捨てカイロ製造方法は、図４に示すように、カイロ本体２を製造するカイロ本体製造工程Ｓ１と、このカイロ本体製造工程Ｓ１で製造され、整列状態で連続的に搬送されるカイロ本体２の整列間隔を広げる整列間隔変更工程Ｓ２と、包装シート３に対して、その片面側に剥離層１２、粘着層１１を形成する等の前処理を行う包装シート前処理工程Ｓ３と、整列間隔変更工程Ｓ２を経たカイロ本体２を、包装シート前処理工程Ｓ３を経て供給される包装シート３上の粘着層１１に重ねるように装着するカイロ本体装着工程Ｓ４と、カイロ本体２と包装シート３とをカイロ本体２の中間シール部９ａ，９ｂに沿って折り畳む折り畳み工程Ｓ５と、包装シート３を外装シール部１４ａ，１４ｂにおいて袋状に封止する封止工程Ｓ６と、この封止工程Ｓ６による封止後のカイロ１を１個分ずつにカットして下流側に搬送する個別搬送工程Ｓ７とを備えている。
【００３６】
整列間隔変更行程Ｓ２は、カイロ１個分ずつにカットされる前の長尺状の包装シート３上にカイロ本体２を装着するカイロ本体装着工程Ｓ４の前に、隣接するカイロ本体２の間隔を広げておくことにより、包装シート３に装着したときに隣接するカイロ本体２の間の包装シート３上に張り出し部１６ａ，１６ｂのための領域を確保するためのものである。
【００３７】
本実施形態では、カイロ１を複数列、例えば３列同時並行で製造可能となっており、整列間隔変更工程Ｓ２は、カイロ本体２の搬送方向の整列間隔を広げる搬送方向整列間隔変更工程Ｓ２ａと、カイロ本体２の搬送方向に直交する並列方向の整列間隔を広げる並列方向整列間隔変更工程Ｓ２ｂとで構成されている。なお、カイロ１が単列で製造される場合には、並列方向整列間隔変更工程Ｓ２ｂは不要である。
【００３８】
図５に示す使い捨てカイロ製造装置２１は、上記使い捨てカイロ製造方法Ｓ１〜Ｓ７に従ってカイロ１を製造するためのもので、カイロ本体製造装置２２、包装シート前処理装置２３、カイロ本体装着装置２４、折り畳み装置２５、封止装置２６、個別搬送装置２７等を備えている。
【００３９】
カイロ本体製造装置２２は、カイロ本体製造工程Ｓ１の処理を行うもので、図５〜図１０に示すように、発熱剤４を収容するホッパー３１と、外周面上に計量凹部３２が少なくとも周方向、例えば周方向及び軸心方向に夫々複数形成され且つホッパー３１の供給口３３から供給される発熱剤４を計量凹部３２内に所定量保持して回転方向に搬送する計量ドラム３４と、この計量ドラム３４の各計量凹部３２の内周側に対応して少なくとも周方向、例えば周方向及び軸心方向に夫々複数配置され且つ計量ドラム３４と共に回転する計量側磁石３５と、この計量側磁石３５の半径方向の位置をその回転位置に応じて変化させる磁石位置変化手段３６と、計量ドラム３４側の計量凹部３２に対応して外周面上又はその内周側近傍に転移側磁石３７が配置され且つ計量ドラム３４により搬送された発熱剤４を通気性シート６を介して転移側磁石３７側に吸着させることにより転移位置Ａで計量ドラム３４側から転移させる転移ドラム３８と、この転移ドラム３８側に通気性シート６を供給する通気性シート供給手段３９と、転移ドラム３８側に非通気性シート７を供給する非通気性シート供給手段４０と、転移ドラム３８の外周面上で発熱剤４を挟み込むように重ね合わされた通気性シート６と非通気性シート７とを、シール位置Ｂにおいて発熱剤４の周囲でシールする本体第１シール手段４１と、本体第１シール手段４１でシールされたシール部を再度シールする本体第２シール手段４２と、シール後にそのシール部を冷却する冷却手段４３と、シール及び冷却後の両シート６，７を下流側に搬送するプレスベルト４４とを備えている。
【００４０】
ホッパー３１は、図６に示すように、計量ドラム３４の一側に近接して配置され、上部側には発熱剤４を投入するための投入口４５が開口状に設けられると共に、下部側には、発熱剤４を計量ドラム３４側に供給するための供給口３３が、計量ドラム３４の下部側から上部側にかけての所定範囲にわたって開口状に設けられている。供給口３３の下縁側を形成する底壁４６は、その下部側が計量ドラム３４の外周面に沿って近接又は摺接する曲面状に形成されると共に、下部側から上部側にかけて計量ドラム３４側に向けて傾斜しており、投入口４５から投入された発熱剤４を供給口３３を介して計量ドラム３４の外周面に案内するようになっている。ホッパー３１の投入口４５の上部側には、連続的又は断続的にホッパー３１内に発熱剤４を供給するシューター４７（図５参照）が配置されている。
【００４１】
計量ドラム３４は、図６及び図７に示すように、略円筒状に形成された周壁部５１と、この周壁部５１の軸心方向両端部に固定される略円盤状の側壁部５２，５３と、側壁部５３の中心部に垂直に突設された円筒状の軸固定部５４とを備え、この軸固定部５４に、前後方向（図５の紙面に垂直な方向、以下同じ）に略水平に配置された駆動軸５５が嵌合、固定されている。駆動軸５５は、略鉛直に配置された支持板５６に設けられた軸受け５７により回転自在に支持されると共に、例えば支持板５６に対して計量ドラム３４の反対側に固定されたプーリ５８を介して駆動源（図示省略）に連結されており、計量ドラム３４は、この駆動源の駆動により駆動軸５５を介して回転駆動されるようになっている。なお、計量ドラム３４は、例えばステンレス等の非磁性材により形成されている。
【００４２】
周壁部５１の外周面上には、１個のカイロ本体２に対応する計量凹部３２が、軸心方向に所定間隔で複数組、例えば３組配置され、更にそれら軸心方向の３組の計量凹部３２が、周方向に所定間隔で複数組、例えば１２組配置されている。各計量凹部３２は、１個のカイロ本体２に設けられる３つの発熱剤収納部１０ａ〜１０ｃに対応するように軸心方向に隣接して配置された３つの凹部３２ａにより構成されている。
【００４３】
周壁部５１の内周側には、周方向に無端状に形成された所定深さの溝部５９が、軸心方向に配置された３組の計量凹部３２に対応して３本設けられている。即ち、周壁部５１は、計量凹部３２と溝部５９とで挟まれた部分がその他の部分に比べて薄肉状となっている。なお、溝部５９は必ずしも周方向に無端状に設ける必要はなく、周方向に配置された各計量凹部３２に対応する部分にのみ設けてもよい。
【００４４】
また、周壁部５１の内側には、磁石位置変化手段３６が配置されている。この磁石位置変化手段３６は、計量側磁石保持手段６０、摺動支持手段６１、板カム６２等を備えている。
【００４５】
計量側磁石保持手段６０は、計量側磁石３５を保持するもので、各計量凹部３２の内周側にそれぞれ対応して配置されており、計量側磁石３５を保持する磁石ホルダ６３と、計量ドラム３４の半径方向に配置され且つその周壁部５１側の端部にそれぞれ磁石ホルダ６３が着脱自在に固定された長手方向一様断面のロッド部６４とを備えている。磁石ホルダ６３には、周壁部５１側に凹部６５が設けられており、この凹部６５内に計量側磁石３５が着脱自在に装着されている。なお、各計量凹部３２に対応するように各計量側磁石保持手段６０に保持される計量側磁石３５は夫々単体の磁石により構成してもよいし、複数個の磁石により構成してもよい。
【００４６】
摺動支持手段６１は、計量側磁石保持手段６０を計量ドラム３４の半径方向に摺動自在に支持するもので、例えば周壁部５１と同心の略円筒状に形成され、その軸心方向両端部近傍において、半径方向に配置された固定連結部材６６を介してボルト等により周壁部５１側に着脱自在に固定されている。なお、固定連結部材６６は側壁部５２，５３等に固定してもよい。
【００４７】
摺動支持手段６１には、計量側磁石保持手段６０のロッド部６４が周壁部５１の半径方向に摺動自在に挿通される筒状の摺動筒部材６７が、各計量側磁石保持手段６０に対応して装着されている。摺動筒部材６７は、摺動支持手段６１に設けられた装着孔６８に対して駆動軸５５側から嵌入されており、例えばその端部に一体に設けられたフランジ部６７ａを介して摺動支持手段６１に対して着脱自在に固定されている。
【００４８】
計量ドラム３４の軸心方向に配列された各３つの計量側磁石保持手段６０は、ロッド部６４の駆動軸５５側の端部が連結部材６９により互いに固定的に連結されており、計量ドラム３４の半径方向に一体的に摺動するようになっている。また、連結部材６９の長手方向略中央部分には、断面円形状のカムフロワー７０が、連結部材６９から駆動軸５５側に突設された支持突部７１を介して、駆動軸５５と平行な軸廻りに回動自在に取り付けられている。
【００４９】
側壁部５２，５３は、図７に示すように、例えばその外周面が周壁部５１の外周面と略面一となるように、周壁部５１の軸心方向の両側部に着脱自在に固定されている。駆動軸５５の先端側（プーリ５８と反対側）に位置する側壁部５２には、同心状の円形開口部７２が形成されている。また、駆動軸５５の後端側に位置する側壁部５３には、駆動軸５５に着脱自在に嵌合・固定される軸固定部５４が、側壁部５３の中心軸に沿って計量ドラム３４の内側に向けて突設されており、その先端側はカムフロワー７０の手前に位置している。
【００５０】
駆動軸５５は、その先端側が、軸固定部５４の先端側よりも若干突出してカムフロワー７０の近傍に位置している。駆動軸５５の先端側には、例えば中空状に形成された摺動支持軸７３が、側壁部５２の略中心位置まで延設されて例えば一体に設けられており、その摺動支持軸７３の両端部近傍に、固定側板７４と板カム６２とが回転方向摺動自在に取り付けられている。
【００５１】
固定側板７４は、側壁部５２の円形開口部７２よりも若干小径の略円盤状に形成されて円形開口部７２の内側に配置され、摺動支持軸７３に対して軸受け７６を介して回転方向摺動自在且つ着脱自在に装着されている。また、固定側板７４は、回転規制手段７７により、支持板５６に対して摺動支持軸７３廻りの回転動作が拘束されている。回転規制手段７７は、固定側板７４上の支持点７８と、支持板５６から計量ドラム３４側に突設されたブラケット７９の先端側の支持点８０とを両端ピン結合により連結するロッド部材により形成され、両支持点７８，８０間の距離を一定に保持するようになっている。また、回転規制手段７７は長手方向に伸縮可能となっており、両支持点７８，８０間の距離を変更することにより、固定側板７４の固定姿勢を摺動支持軸７３廻りに調整可能となっている。
【００５２】
板カム６２は、計量側磁石保持手段６０に保持された計量側磁石３５をその回転位置に応じて異なる半径位置に移動させる半径方向移動手段を構成するもので、図６に示すように、半径が一様でない異形円盤状に形成されており、摺動支持軸７３の後端側に軸受け８１を介して回転方向摺動自在且つ着脱自在に装着されている。また、板カム６２は、摺動支持軸７３に平行に配置された連結部材８２により、例えばその周方向の複数位置において固定側板７４と連結されており、固定側板７４と共に支持板５６に対して摺動支持軸７３廻りの回転動作が拘束されている。即ち、固定側板７４と板カム６２とは共にその回転動作が拘束されており、これら固定側板７４と板カム６２とに対して、軸受け７６，８１を介して摺動支持軸７３側が摺動回転するようになっている。
【００５３】
板カム６２には、その片面側、例えば駆動軸５５側に、軸心方向の凹入状に形成されたカム溝８３が、外周縁に沿って無端状に設けられており、このカム溝８３に、計量側磁石保持手段６０側のカムフロワー７０が摺動自在に係合している。板カム６２の外形及びこれに沿って形成されたカム溝８３の形状は、図６に示すように、計量ドラム３４側から転移ドラム３８側へ発熱剤４を転移させる転移位置Ａに対応する位置又はその近傍において半径が最も小さく、ホッパー３１の供給口３３に対応する位置又はその近傍において半径が最も大きくなるように、滑らかな曲線状に形成されている。
【００５４】
駆動源の駆動力がプーリ５８、駆動軸５５を介して計量ドラム３４に伝達され、この計量ドラム３４と共に計量側磁石保持手段６０が回転すると、計量側磁石保持手段６０側のカムフロワー７０が、固定状態にある板カム６２のカム溝８３に沿って摺動する。カム溝８３は計量ドラム３４の軸心からの距離がその周方向位置に応じて異なっているため、計量側磁石保持手段６０は、図６に示すようにその回転位置の変化と共に半径方向位置が変化し、転移位置Ａに対応する位置又はその近傍において最も半径方向内側に位置し、ホッパー３１の供給口３３に対応する位置又はその近傍において最も半径方向外側に位置する。計量側磁石保持手段６０がホッパー３１の供給口３３に対応する位置又はその近傍において最も半径方向外側に位置したとき、その計量側磁石保持手段６０に保持された計量側磁石３５は溝部５９内で周壁部５１の内周面に近接又は略当接するようになっている。
【００５５】
このように、カム溝８３を有する板カム６２は、計量側磁石３５を半径方向摺動自在に保持する計量側磁石保持手段６０を、その回転位置に応じて異なる半径位置に保持することにより計量側磁石３５を半径方向に駆動し、これにより、計量側磁石３５がホッパー３１の供給口３３に対応する位置又はその近傍から転移位置Ａに対応する位置又はその近傍にくるまでの間にその半径方向位置を内側に変化させるようになっている。
【００５６】
なお、ホッパー３１の供給口３３から転移位置Ａまでの間の計量側磁石３５の半径方向位置は、転移位置Ａに対応する位置及びその上流側近傍以外では、できる限り外側、即ち周壁部５１に近くなるようにすることが望ましい。また、転移位置Ａ、即ち計量ドラム３４と転移ドラム３８との対向位置は、計量ドラム３４の外周面上で且つホッパー３１の供給口３３から外れた位置であればどこに設けてもよいが、供給口３３から転移位置Ａまでの距離は、少なくともその間に板カム６２により計量側磁石３５を半径方向の最も内側までスムーズに案内できる程度の長さを確保する必要がある。
【００５７】
ホッパー３１の内部には、図６に示すように、計量ドラム３４の回転により計量凹部３２の近傍の発熱剤４を計量凹部３２側に押圧する押圧手段８４が、供給口３３の下流端側（上端側）近傍に設けられている。
【００５８】
押圧手段８４は、計量側磁石３５による吸着力及び計量ドラム３４の外周の凹凸によって計量ドラム３４の回転に伴ってその回転方向に移動しようとする発熱剤４を計量ドラム３４側に押圧して、計量凹部３２内に発熱剤４を隙間なく充填させるためのもので、計量ドラム３４の外周面に沿って配置され且つ計量ドラム３４の外周面との隙間が下流側ほど狭くなるように配置されており、例えば計量ドラム３４の周方向に近接して配置された２つの押圧片８４ａ，８４ｂを備えている。
【００５９】
上流側（下側）の第１押圧片８４ａは、例えばその厚みが上流側ほど薄い楔状に形成されており、計量ドラム３４の回転方向の一端、例えば下流側端部が、計量ドラム３４の回転軸と略平行な固定軸８５ａ廻りに角度調整可能に固定されている。下流側（上側）の第２押圧片８４ｂは、例えばその厚みが下流側ほど薄い楔状で、計量ドラム３４の回転方向の一端、例えば上流側端部が、計量ドラム３４の回転軸と略平行な固定軸８５ｂ廻りに角度調整可能に固定されている。
【００６０】
押圧片８４ａ，８４ｂは、各固定軸８５ａ，８５ｂ廻りの角度調整により、発熱剤４を計量ドラム３４の外周面側に押圧する押圧力を適宜調整できるようになっている。本実施形態では、各押圧片８４ａ，８４ｂの計量ドラム３４側の面が滑らかに連続し、且つ第２押圧片８４ｂの下流側端部が計量ドラム３４の外周面に近接するように角度調整されているが、例えば第１押圧片８４ａと第２押圧片８４ｂとが屈曲状となるように調整してもよい。また、第２押圧片８４ｂの下流側端部と計量ドラム３４の外周面との間の間隔を大きくしてもよいし、逆にそれらを略当接させてもよい。
【００６１】
なお、押圧手段８４は、計量ドラム３４の軸心方向に並列する複数組（３組）の計量凹部３２に跨るように配置してもよいし、並列方向の各計量凹部３２毎に個別に配置してもよい。また、押圧手段８４は、ホッパー３１内の発熱剤４を計量凹部３２側に押圧できるものであればよく、押圧片８４ａ，８４ｂのようなものに限らない。また、押圧手段８４がなくても計量側磁石３５等の作用によって計量凹部３２内に発熱剤４が確実に充填される場合には、押圧手段８４を省略してもよい。
【００６２】
ホッパー３１の供給口３３の最下流側には、計量凹部３２の外側の余分な発熱剤４を計量ドラム３４の外周面から除去する余剰発熱剤除去手段８６が設けられている。本実施形態では、ホッパー３１の供給口３３の下流側の側壁８７が余剰発熱剤除去手段８６を構成しており、側壁８７の下縁部、即ち供給口３３の下流側縁部が計量ドラム３４の外周面に略摺接されて、計量凹部３２から溢れた発熱剤４を、計量ドラム３４の外周面の位置で掻き取ってホッパー３１側に戻すようになっている。
【００６３】
なお、余剰発熱剤除去手段８６は、側壁８７とは別に設けてもよい。例えば、押圧手段８４を構成する第２押圧片８４ｂの下流側端部を計量ドラム３４の外周面に略当接させる場合には、この第２押圧片８４ｂを余剰発熱剤除去手段８６として用いることができる。
【００６４】
以上のような構成により、シューター４７からホッパー３１内に供給された発熱剤４は、底壁４６に沿って供給口３３側に案内され、回転している計量ドラム３４の計量凹部３２内に流入する。このとき、供給口３３の位置では計量側磁石３５が計量凹部３２に近接する位置に保持されるため、その吸着力によっても計量凹部３２内への発熱剤４の流入が促進される。なお、発熱剤４が酸素に晒される時間をなるべく短くするために、シューター４７からホッパー３１への発熱剤４の供給は、少量ずつ連続的又は断続的に行うことが望ましい。
【００６５】
計量凹部３２内及びその周辺の発熱剤４は、計量凹部３２が押圧手段８４の内側を通過する際に２つの押圧片８４ａ，８４ｂによって計量凹部３２側へ押圧された後、計量凹部３２から溢れた発熱剤４はホッパー３１の下流端側において余剰発熱剤除去手段８６により掻き取られてホッパー３１側に戻される。そして、計量凹部３２はその内部が所定量の発熱剤４で満たされた状態でホッパー３１の下流側に送り出される。このとき、その計量凹部３２の内周側近傍には計量側磁石３５が位置しており、その吸着力により計量凹部３２内の発熱剤４は半径方向内側に引き付けられているため、計量ドラム３４の遠心力による発熱剤４の飛散を抑制することができ、計量ドラム３４の回転速度を高速化できる。
【００６６】
計量側磁石３５は、対応する計量凹部３２がホッパー３１を通過した後、計量凹部３２の内周側近傍から半径方向内側に徐々に離れ、転移位置Ａ又はその近傍においてその距離が最も遠くなる。これにより、計量側磁石３５による発熱剤４の吸着力が転移位置Ａ又はその近傍において最も小さくなり、転移ドラム３８側の転移側磁石３７の吸着力が勝って計量凹部３２内の発熱剤４は転移ドラム３８側に転移する。
【００６７】
転移ドラム３８は、図６に示すように、転移位置Ａにおいて計量ドラム３４に近接又は当接するように計量ドラム３４に平行に配置され且つ計量ドラム３４と同じ周速で供廻り方向に回転駆動される略円筒状の周壁部９１を備えている。周壁部９１は、例えばステンレス等の非磁性材により形成されている。本実施形態では、転移ドラム３８の外径を計量ドラム３４の外径と略同じにしているが、両者の外径は異なっていてもよい。また、転移ドラム３８は、計量ドラム３４の最上部に対してホッパー３１の反対側に若干ずれた位置に配置しているが、計量ドラム３４の計量凹部３２内の発熱剤４はホッパー３１を通過した後もその内周側の計量側磁石３５により吸着保持されるため、ホッパー３１と干渉しない位置であれば、計量ドラム３４の直上の他、側方、下側等、任意の位置に配置可能である。
【００６８】
周壁部９１の外周面上には、計量ドラム３４側の計量凹部３２と対応するように、１個のカイロ本体２の発熱剤収納部１０に対応する収容凹部９２が、軸心方向に所定間隔で３組配置され、更にそれら軸心方向の３組の収容凹部９２が、周方向に所定間隔で複数組、例えば１２組配置されている。なお、転移ドラム３８の外径が計量ドラム３４の外径と異なる場合には、収容凹部９２の周方向の配置数は計量凹部３２の周方向の配置数と異なってくることは言うまでもない。各収容凹部９２は、図７に示すように、カイロ本体２の３つの発熱剤収納部１０ａ〜１０ｃに対応するように軸心方向に隣接して配置された３つの凹部９２ａにより構成されている。
【００６９】
各収容凹部９２内には、更に所定深さの装着凹部９３が形成され、その装着凹部９３内に転移側磁石３７が装着されており、その転移側磁石３７の表面が収容凹部９２の底面９４を形成している。この転移側磁石３７は、装着凹部９３内に着脱自在に固定された磁性材よりなる磁石固定部材９５に吸着することにより周壁部９１に固定されている。
【００７０】
収容凹部９２の底面９４、即ち転移側磁石３７の表面は略平面状又は周壁部９１と同心の円筒面状に形成され、側面９６は、例えば底面９４とのなす角（内角）が直角又はそれよりも大きな所定角度となるように周壁部９１の外周側に向けて立ち上がっている。
【００７１】
なお、転移側磁石３７は、本実施形態のようにその表面が収容凹部９２内に露出するように配置することが望ましいが、例えば周壁部９１の内周面側から装着する等により、収容凹部９２の内周側近傍に配置してもよい。
【００７２】
転移側磁石３７は、転移位置Ａにおいて計量凹部３２内の発熱剤４に対する吸着力が計量側磁石３５側の吸着力よりも十分に勝るようになっている。これにより、転移位置Ａにおいて計量凹部３２内の発熱剤４は対向する収容凹部９２内に転移される。また、転移ドラム３８の外周面には、通気性シート供給手段３９の原反ロール１０１から繰り出されたままの幅広長尺状の通気性シート６が、少なくとも転移位置Ａよりも上流側からシール位置Ｂにかけて所定の張力で巻き掛けられている。従って、転移位置Ａにおいては、計量凹部３２内の発熱剤４は通気性シート６を介して転移側磁石３７に吸着され、収容凹部９２内に収容される。このとき、通気性シート６は、発熱剤４により収容凹部９２の底面９４側に押し付けられ、収容凹部９２の内面側に略密着した状態となる。
【００７３】
なお、通気性シート供給手段３９は、原反ロール１０１が終了したときにその末端側と次の原反ロール１０１′の先端側とをラインを止めることなく自動接続するオートスプライサ１０２を備えている。
【００７４】
転移ドラム３８の外周部近傍には、図６に示すように、転移位置Ａとシール位置Ｂとの間にかきならしロール１０３と非通気性シート案内ロール１０４とが配置されている。かきならしロール１０３は、収容凹部９２内の発熱剤４を平坦にならすと共に、収容凹部９２に対応しない外周部分に付着した発熱剤４を除去するもので、転移ドラム３８の外周面に軸心方向の略全体にわたって転接されている。
【００７５】
非通気性シート案内ロール１０４は、非通気性シート供給手段４０の原反ロール１０５（図５）から繰り出されたままの長尺状の非通気性シート７を転移ドラム３８の外周面に沿うように案内するもので、シール位置Ｂよりも上流側で且つかきならしロール１０３よりも下流側において転移ドラム３８の外周面に軸心方向の略全体にわたって転接されている。なお、非通気性シート供給手段４０は、図５に示すように、原反ロール１０５が終了したときにその末端側と次の原反ロール１０５′の先端側とをラインを止めることなく自動接続するオートスプライサ１０６を備えている。
【００７６】
本体第１シール手段４１は、通気性シート６及び非通気性シート７を発熱剤４の周囲、即ち転移ドラム３８の外周面の収容凹部９２を除く部分（以下、シール面１０７という）に対応して縦横のマス目状にシールしてシール部１０８（カイロ本体２の外周シール部８及び中間シール部９ａ，９ｂに対応）を形成するためのもので、図５に示すように、シール位置Ｂにおいて転移ドラム３８の外周面に両シート６，７を介して転接されるシールロール１０９を備えている。
【００７７】
シールロール１０９の外周面には、図８に示すように、転移ドラム３８の収容凹部９２と対応するように、カイロ本体２の発熱剤収納部１０ａ〜１０ｃに対応する３つの凹部１１０が、軸心方向に所定間隔で３組、周方向に所定間隔で複数組配置されており、その外周面上の凹部１１０を除く部分が、転移ドラム３８側のシール面１０７との間に通気性シート６及び非通気性シート７を挟み込んでシールするシール面１１１となっている。
【００７８】
また、転移ドラム３８及びシールロール１０９には、夫々内部に熱源（図示省略）が配置されており、少なくともシール面１０７，１１１部分が加熱されるようになっている。
【００７９】
本体第２シール手段４２は、本体第１シール手段４１で形成されたシール部１０８上を再度シールするもので、図５に示すように、内部に熱源（図示省略）が配置された一対のシールロール１１２を備え、この両シールロール１１２により通気性シート６及び非通気性シート７のシール部１０８上を再度シールして再シール部１１３を形成するようになっている。シールロール１１２には、図９に示すように、本体第１シール手段４１のシールロール１０９の凹部１１０よりも縦及び横の寸法が若干大きい凹部１１４が形成され、その凹部１１４の周囲のシール面１１５は本体第１シール手段４１のシールロール１０９のシール面１１１よりも細くなっており、そのシール面１１５により通気性シート６及び非通気性シート７のシール部１０８の一部を再度シールするようになっている。なお、シールロール１１２を本体第１シール手段４１のシールロール１０９と略同一に構成し、シール部１０８に丁度重なるように再シール部１１３を形成するようにしてもよい。
【００８０】
冷却手段４３は、第１，第２シール手段４１，４２によりシールされたシール部１０８，１１３を冷却してそのシール状態を固定させるもので、図５に示すように、例えば内部に冷媒が配置された一対の冷却ロール１１６を備えている。冷却ロール１１６は、図１０に示すように、例えば本体第１シール手段４１のシールロール１０９の凹部１１０と略同じ凹部１１７が形成され、その周囲が冷却面１１８となっており、この冷却面１１８により通気性シート６及び非通気性シート７のシール部１０８，１１３を冷却するようになっている。
【００８１】
プレスベルト４４は、冷却手段４３の下流側でその上流側の通気性シート６及び非通気性シート７に所定の引っ張り力を与えつつ下流側に搬送するもので、図５に示すように、通気性シート６及び非通気性シート７を挟み込んで搬送する一対の搬送ベルト１１９を備えている。
【００８２】
包装シート前処理装置２３は、包装シート前処理工程Ｓ３の処理を行うもので、図５に示すように、包装シート供給手段１２１、剥離層形成手段１２２、印刷手段１２３、予熱手段１２４、粘着層形成手段（粘着層形成装置）１２５等を備えている。
【００８３】
包装シート供給手段１２１は、原反ロール１２６から包装シート３を繰り出して下流側に供給するもので、原反ロール１２６が終了したときにその末端側と次の原反ロール１２６′の先端側とをラインを止めることなく自動接続するオートスプライサ１２７を備えている。
【００８４】
なお、原反ロール１２６から繰り出されたときの包装シート３の幅は、例えば製品となったときの包装シート３の左右方向（発熱剤収納部１０ａ〜１０ｃの配列方向）の幅の３倍に形成されている。
【００８５】
剥離層形成手段１２２は、原反ロール１２６から繰り出されたままの幅広長尺状の包装シート３にシリコン被膜等よりなる剥離層１２を形成する剥離層形成工程Ｓ３ａ（図４）の処理を行うもので、図１１に示すように、包装シート３の内面（カイロ本体２を包装したときに内側になる面であって、図５の剥離層形成手段１２２の位置における下面側）に、１個分のカイロ１に対応する略長方形状の剥離層１２を、カイロ本体製造工程Ｓ１において製造されるカイロ本体２の並列方向の個数に応じて幅方向に１又は複数列（ここでは３列）、長手方向に所定間隔で連続的に形成するようになっている。
【００８６】
印刷手段１２３は、包装シート３の外面（カイロ本体２を包装したときに外側になる面であって、図５の印刷手段１２３の位置における上面側）に模様や文字、例えばロットナンバー等の任意の印刷を行うもので、例えばインクジェット式のノズルヘッドを備えている。予熱手段１２４は、下流側で包装シート３を外装シール部１４において熱シールするのに先だって、包装シート３に予熱を与えておくためのものである。
【００８７】
粘着層形成手段１２５は、包装シート３の裏面の剥離層１２に重ねるように粘着層１１を形成する粘着層形成工程Ｓ３ｂ（図４）の処理を行うもので、例えば粘着剤を噴射するノズルヘッドを包装シート３の幅方向に複数備えている。粘着層形成手段１２５により形成される粘着層１１は、図１１に示すように、例えばカイロ本体２の非通気性シート７側の全面に対応する略長方形の領域に形成されている。なお、粘着層１１は、各発熱剤収納部１０ａ〜１０ｃに対応する複数（３つ）の略長方形状の領域に形成してもよい。また、粘着層１１は、それら各領域内に間欠的、例えば縞状、ドット状に形成してもよい。
【００８８】
カイロ本体装着装置２４は、整列間隔変更工程Ｓ２（搬送方向整列間隔変更工程Ｓ２ａ及び並列方向整列間隔変更工程Ｓ２ｂ）及びカイロ本体装着工程Ｓ４の処理を行うもので、図５に示すように、カイロ本体カット手段１３１、吸着搬送ロール１３２、包装シート搬送手段１３３等を備えている。
【００８９】
カイロ本体カット手段１３１は、カイロ本体製造装置２２で製造された並列方向、搬送方向に繋がった状態のカイロ本体２を１個分ずつにカットするもので、図１２に示すように、カイロ本体２を切り取るための切り刃を有するカットロール１３４と、このカットロール１３４を受けるアンビルロール１３５とを、カット位置Ｃで対向するように例えば上下に備えている。
【００９０】
吸着搬送ロール１３２は、アンビルロール１３５と共に搬送方向整列間隔変更装置１３６を構成し、また単独で並列方向整列間隔変更装置１３７を構成するもので、カット位置Ｃよりも下流側の転移位置Ｄにおいてアンビルロール１３５に対向し、また転移位置Ｄよりも下流側の装着位置Ｅにおいて包装シート搬送手段１３３の搬送面に対向するように配置されている。
【００９１】
搬送方向整列間隔変更装置１３６としてのアンビルロール１３５は、略全面にわたって多数の連通孔１３８が形成され且つカットロール１３４と供回り方向に回転する外周ドラム１３９と、この外周ドラム１３９の内側に沿ってカット位置Ｃと転移位置Ｄとの間に配置され且つ負圧源（図示省略）に接続される負圧吸着手段１４０とを備え、カット位置Ｃにおいて１個分ずつにカットされたカイロ本体２を負圧により外周ドラム１３９の外周面側に吸着させた状態で転移位置Ｄまで搬送するようになっている。
【００９２】
吸着搬送ロール１３２は、カイロ本体カット手段１３１により１個分ずつにカットされてアンビルロール１３５により複数列（３列）で搬送されてくるカイロ本体２を転移位置Ｄから装着位置Ｅまで搬送するもので、図１２及び図１３に示すように、駆動軸１４１と共に回転可能に構成され且つ上流側から搬送されるカイロ本体２を並列方向の１列分ずつ吸着させた状態で転移位置Ｄから装着位置Ｅまで搬送する吸着搬送手段１４２と、この吸着搬送手段１４２を構成する複数（３個）の吸着保持手段１４４，１４３，１４４のうち、並列方向中央の吸着保持手段１４３を並列方向移動不能に保持する固定保持部材１４５と、吸着保持手段１４４，１４３，１４４のうち、並列方向両側の吸着保持手段１４３をそれぞれ並列方向移動可能に保持する可動保持部材１４６と、この可動保持部材１４６を駆動軸１４１と平行な方向に摺動自在に保持する摺動案内部材１４７と、可動保持部材１４６の摺動位置をその回転位置に応じて変化させるカム部材１４８と、各可動保持部材１４６に対して軸心方向両側に配置され且つ駆動軸１４１と共に回転するベルト案内部材１４９ａ，１４９ｂとを備えている。
【００９３】
吸着搬送手段１４２は、駆動軸１４１の周方向に等間隔で複数組、例えば１２組配置されており、この吸着搬送手段１４２を構成する吸着保持手段１４４，１４３，１４４は、それぞれ１又は複数、例えば４個の磁石１４４ａ，１４３ａ，１４４ａにより構成されている。
【００９４】
駆動軸１４１は、その両端側近傍において一対の軸受け１５０により回転自在に保持されると共に、駆動源（図示省略）に接続されるプーリ１４１ａを一端側に備えている。
【００９５】
固定保持部材１４５は、例えば略円盤状に形成され、その中心に形成された連通保持孔１５１に駆動軸１４１を挿通させた状態でこの駆動軸１４１に対してボルト等により着脱自在に固定されており、その外周面上に吸着保持手段１４３が装着されている。吸着保持手段１４３は、アンビルロール１３５により並列方向３列で搬送されてきたカイロ本体２のうち、並列方向中央のカイロ本体２を夫々１個ずつ吸着保持するもので、その並列方向中央のカイロ本体２の幅方向略中央に対応する位置に設けられ、更に回転方向に隣接する吸着保持手段１４３の中心間隔（移動軌跡に沿った曲線距離）は、アンビルロール１３５上で搬送方向（回転方向）に隣接するカイロ本体２の中心間隔よりも広くなっている。なお、吸着保持手段１４３は、例えばその外面側が固定保持部材１４５の外周面と略面一かそれよりも若干突出した状態で着脱自在に装着されている。
【００９６】
また、固定保持部材１４５の外周面上には、周方向のベルト案内溝１５２が、吸着保持手段１４３の両側に夫々１又は複数本、例えば１本ずつ形成されている。この一対のベルト案内溝１５２の間隔は、少なくともアンビルロール１３５により搬送されてくるカイロ本体２の幅よりも小さくなっている。また、ベルト案内溝１５２は、これに巻き掛けられるベルト１５３が固定保持部材１４５の外周面の外側に突出しない程度の深さに形成されている。
【００９７】
更に、固定保持部材１４５の各吸着保持手段１４３の内周側には、夫々駆動軸１４１に平行な連通孔１５４が形成されており、この連通孔１５４に摺動案内部材１４７が夫々挿通、固定されている。
【００９８】
摺動案内部材１４７は、任意の断面形状、例えば円形断面を有するロッド状で、例えばその長手方向の中央が大径部１４７ａ、その大径部１４７ａの両側が中径部１４７ｂ、更にその中径部１４７ｂの両側が小径部１４７ｃとなった段付き状に形成されており、その大径部１４７ａを固定保持部材１４５の連通孔１５４に挿通させた状態で固定保持部材１４５に対して着脱自在に固定されている。
【００９９】
また、その摺動案内部材１４７の中径部１４７ｂには、大径部１４７ａとの段差部に当接するようにベルト案内部材１４９ａが着脱自在に固定され、更にその外側（小径部１４７ｃ側）には、可動保持部材１４６が摺動自在に装着されている。また、摺動案内部材１４７の小径部１４７ｃには、中径部１４７ｂとの段差部に当接するようにベルト案内部材１４９ｂが着脱自在に固定されている。
【０１００】
ベルト案内部材１４９ａ，１４９ｂは、共に固定保持部材１４５と略同径の円盤状に形成されており、固定保持部材１４５側の連通孔１５４に対応する位置に夫々挿通孔１５５が形成されており、これら各挿通孔１５５に摺動案内部材１４７の中径部１４７ｂ又は小径部１４７ｃを挿通させた状態で摺動案内部材１４７に固定されている。
【０１０１】
ベルト案内部材１４９ａ，１４９ｂの外周面上には、周方向のベルト案内溝１５６が、夫々１又は複数本、例えば２本ずつ形成されている。また、そのベルト案内部材１４９ａ，１４９ｂのベルト案内溝１５６は、アンビルロール１３５により搬送されてくる並列方向両側のカイロ本体２の幅方向両端側近傍に位置しており、少なくとも各１本のベルト案内溝１５６が、それら並列方向両側のカイロ本体２の幅方向両端側よりも内側に位置している。更に、ベルト案内溝１５６は、固定保持部材１４５側のベルト案内溝１５２と同様、巻き掛けられるベルト１５３がベルト案内部材１４９ａ，１４９ｂの外周面の外側に突出しない程度の深さに形成されている。
【０１０２】
可動保持部材１４６は、固定保持部材１４５側の吸着保持手段１４３に対して軸心方向両側に夫々対応するように、周方向に等間隔で複数、例えば１２個設けられ、駆動軸１４１と平行に設けられた挿通孔１５７に摺動筒部材１５７ａを介して摺動案内部材１４７の中径部１４７ｂを挿通させることによりこの摺動案内部材１４７により軸方向摺動自在に保持されている。なお、その摺動方向の両側はベルト案内部材１４９ａ，１４９ｂにより規制されており、それらベルト案内部材１４９ａ，１４９ｂ間が可動保持部材１４６の摺動可能範囲となっている。
【０１０３】
各可動保持部材１４６は、図１２に示すように、駆動軸１４１に対する半径方向外側の端面が、夫々固定保持部材１４５の外周面と同径の円筒面状に形成されており（以下、この端面を外周面１５８という）、この外周面１５８の半径方向内側に挿通孔１５７が設けられている。可動保持部材１４６の駆動軸１４１に垂直な方向の断面形状は、隣接する可動保持部材１４６と互いに干渉しないように、外周面１５８側から半径方向内側に向けて周方向幅が狭くなるように絞り込まれている。
【０１０４】
各可動保持部材１４６の外周面１５８には、１又は複数、例えば４個の磁石１４４ａよりなる吸着保持手段１４４が設けられている。この吸着保持手段１４４は、アンビルロール１３５により並列方向３列で搬送されてきたカイロ本体２のうち、その並列方向両側のカイロ本体２を夫々１個ずつ吸着保持するもので、固定保持部材１４５側の吸着保持手段１４３の軸心方向に夫々対応して設けられている。即ち、固定保持部材１４５側の吸着保持手段１４３と同様、回転方向に隣接する吸着保持手段１４４の中心間隔（移動軌跡に沿った曲線距離）は、アンビルロール１３５上で搬送方向（回転方向）に隣接するカイロ本体２の中心間隔よりも広くなっている。なお、吸着保持手段１４４は、例えばその外面側が外周面１５８と略面一かそれよりも若干突出した状態で着脱自在に装着されている。
【０１０５】
可動保持部材１４６の駆動軸１４１に対する半径方向内側の端部には、断面円形状のカムフロワー１５９が、駆動軸１４１の半径方向内側に突出した状態で、その半径方向の軸廻りに回動自在に取り付けられている。
【０１０６】
可動保持部材１４６の内周側には、駆動軸１４１の周囲にカム部材１４８が配置され、例えば軸受け１５０に対して着脱自在に固定されている。このカム部材１４８は、例えば厚肉円盤状に形成されており、その中心部には駆動軸１４１を摺動自在に保持する軸受け孔１６０が形成されている。なお、ベルト案内部材１４９ａ，１４９ｂには、このカム部材１４８及び軸受け１５０との干渉を避けるための開口孔１６１が形成されている。
【０１０７】
カム部材１４８の外周面上には、カム溝１６２が、周方向位置に応じて軸方向位置が変化するように無端状に形成され、このカム溝１６２に可動保持部材１４６側のカムフロワー１５９が摺動自在に係合している。カム溝１６２は、図１４に示すように、その軸方向位置が、転移位置Ｄに対応する周方向位置において最も内側（固定保持部材１４５側）となり、装着位置Ｅに対応する周方向位置において最も外側となり、更に転移位置Ｄと装着位置Ｅとの間の任意の範囲で滑らかに変化するように設定されている。
【０１０８】
これにより、可動保持部材１４６は、駆動軸１４１と共に回転する際に、そのカムフロワー１５９を介してカム部材１４８のカム溝１６２に案内されてその軸心方向に摺動し、その摺動位置は、転移位置Ｄから装着位置Ｅまでの間で、最も内側の位置（以下、第１摺動位置Ｘという）から最も外側の位置（以下、第２摺動位置Ｙという）まで徐々に変化し、その後、再度転移位置Ｄにくるまでの間に第１摺動位置Ｘに戻る。
【０１０９】
なお、可動保持部材１４６は、図１３に示すように、第１摺動位置Ｘにおいて、アンビルロール１３５により搬送されてくる並列方向両側のカイロ本体２の略中央に位置するようになっている。また、カム溝１６２は、図１４に示すように、転移位置Ｄ及び装着位置Ｅを中心とするそれぞれ所定範囲に、その軸方向位置が第１摺動位置Ｘ及び第２摺動位置Ｙのまま変化しない軸方向位置不変部が設けられている。
【０１１０】
以上のように構成された吸着搬送ロール１３２は、固定保持部材１４５、可動保持部材１４６、及びベルト案内部材１４９ａ，１４９ｂが駆動軸１４１を介してアンビルロール１３５側よりも速い所定の周速となるように回転駆動され、アンビルロール１３５により並列方向３列で搬送されてくるカイロ本体２が、その搬送方向の中心間隔よりも広い中心間隔で周方向に配置されている吸着保持手段１４４，１４３，１４４に、転移位置Ｄにおいて夫々吸着されるようになっている。即ち、アンビルロール１３５により整列状態で連続的に搬送されてくるカイロ本体２は、アンビルロール１３５の搬送速度よりも吸着搬送ロール１３２の搬送速度の方が高速であるために、転移位置Ｄにおいてアンビルロール１３５から吸着搬送ロール１３２に転移される際に、その搬送方向の整列間隔が広げられる。
【０１１１】
吸着搬送ロール１３２の下流側には、図１２及び図１５に示すように、第１ベルト案内ロール１６３と第２ベルト案内ロール１６４とが、共に包装シート搬送手段１３３の略平面状の搬送面に近接又は当接するように、吸着搬送ロール１３２と平行に配置されている。即ち、第１ベルト案内ロール１６３と第２ベルト案内ロール１６４とは、装着位置Ｅにおいて吸着搬送ロール１３２に接する平面に対して、吸着搬送ロール１３２と同方向から接するように配置されている。
【０１１２】
第２ベルト案内ロール１６４は、吸着搬送ロール１３２の下流側に隣接して配置されており、その外周面上には、吸着搬送ロール１３２側のベルト案内溝１５２，１５６に対応する軸方向位置にベルト案内溝１６５が形成され、更に吸着搬送ロール１３２側の一対のベルト案内溝１５２の中央に対応する軸方向位置に１又は複数、例えば１本のベルト案内溝１６６ａが、吸着搬送ロール１３２側のベルト案内部材１４９ａ，１４９ｂ間に対応する軸方向位置に１又は複数、例えば各２本のベルト案内溝１６６ｂが、夫々形成されている。
【０１１３】
第１ベルト案内ロール１６３は、第２ベルト案内ロール１６４の更に下流側に配置されており、その外周面上には、吸着搬送ロール１３２側のベルト案内溝１５２，１５６に対応する軸方向位置に夫々ベルト案内溝１６７が、第２ベルト案内ロール１６４側のベルト案内溝１６６ａ，１６６ｂに対応する軸方向位置にベルト案内溝１６８ａ，１６８ｂが夫々形成されている。
【０１１４】
そして、第１ベルト案内ロール１６３側のベルト案内溝１６８ａ，１６８ｂと第２ベルト案内ロール１６４側のベルト案内溝１６６ａ，１６６ｂとに夫々ベルト１６９が巻き掛けられ、第１ベルト案内ロール１６３側のベルト案内溝１６７と吸着搬送ロール１３２側のベルト案内溝１５２，１５６とに、第２ベルト案内ロール１６４側のベルト案内溝１６５を経由してベルト１５３が巻き掛けられている。
【０１１５】
これにより、第１ベルト案内ロール１６３と吸着搬送ロール１３２とに巻き掛けられたベルト１５３は、装着位置Ｅ又はその下流側近傍から下流側に向けて吸着搬送ロール１３２の外周面よりも外側に徐々に突出しつつ包装シート搬送手段１３３の搬送面に沿って走行し、第１ベルト案内ロール１６３と第２ベルト案内ロール１６４とに巻き掛けられたベルト１６９も、装着位置Ｅの下流側でベルト１５３と共に包装シート搬送手段１３３の搬送面に沿って走行する。
【０１１６】
ここで、固定保持部材１４５に設けられたベルト案内溝１５２、ベルト案内部材１４９ａ，１４９ｂに設けられたベルト案内溝１５６等のベルト案内手段と、第１，第２ベルト案内ロール１６３，１６４と、それらに巻き掛けられるベルト１５３，１６９とが、吸着搬送ロール（搬送ロール）１３２の外周側に吸着されたカイロ本体（搬送物）２を装着位置（第２位置）Ｅにおいて吸着搬送ロール１３２から離脱させる搬送物離脱手段１７０を構成している。
【０１１７】
包装シート搬送手段１３３は、包装シート前処理装置２３において剥離層１２、粘着層１１等が形成された包装シート３を、剥離層１２及び粘着層１１が形成された内面側が装着位置Ｅにおいて吸着搬送ロール１３２に対向するように搬送するもので、吸着搬送ロール１３２の装着位置Ｅの上流側から下流側にかけての所定範囲内において、ベルト１５３，１６９の下側に沿ってこれに近接又は当接した状態で走行する搬送ベルト１３３ａを備え、この搬送ベルト１３３ａにより包装シート３の内面側が上向きとなるように搬送するようになっている。
【０１１８】
転移位置Ｄにおいてアンビルロール１３５側から吸着保持手段１４３，１４４にカイロ本体２をその搬送方向の整列間隔を広げつつ吸着させた吸着搬送ロール１３２は、更にそのまま回転を続けて装着位置Ｅまでカイロ本体２を搬送する。この間、可動保持部材１４６は、その一端側のカムフロワー１５９がカム部材１４８のカム溝１６２に沿って摺動するすることにより、最も内側（固定保持部材１４５側）の第１摺動位置Ｘから最も外側の第２摺動位置Ｙまで軸心方向に徐々に移動する。これにより、固定保持部材１４５側の吸着保持手段１４３に保持されているカイロ本体２と、その両側の可動保持部材１４６側の吸着保持手段１４４に保持されているカイロ本体２との間隔、即ち並列方向の整列間隔が徐々に広くなる。
【０１１９】
そして、吸着保持手段１４３，１４４に吸着された状態で転移位置Ｄまで搬送されたカイロ本体２は、転移位置Ｄにおいて、包装シート搬送手段１３３側の搬送ベルト１３３ａにより内面側が上向きとなるように搬送されている包装シート３に対して、非通気性シート７側を粘着層１１に重ねるように装着された後、その下流側において吸着搬送ロール１３２に外周面の外側に突出しつつ吸着搬送ロール１３２から徐々に離間するベルト１５３により、吸着搬送ロール１３２の吸着保持手段１４３，１４４から引き離されて、包装シート３側に装着された状態のままで包装シート搬送手段１３３の搬送ベルト１３３ａに沿って下流側に搬送される。またその際、ベルト１５３によって各カイロ本体２の幅方向両側が、ベルト１６９によって各カイロ本体２の幅方向中間部分がそれぞれ包装シート３側に押圧されるため、カイロ本体２の略全面が確実に包装シート３側の粘着層１１に密着する。
【０１２０】
包装シート３上に装着された各カイロ本体２の間隔は、搬送方向に張り出し部１６ａの幅の２倍分、並列方向に張り出し部１６ｂの幅分確保されている。以上のように、カイロ本体２を包装シート３上に装着する前に、搬送方向整列間隔変更装置１３６及び並列方向整列間隔変更装置１３７によりカイロ本体２の搬送方向及び並列方向の整列間隔を広げて外装シール部１４の幅分の間隔を確保するように構成していることにより、例えば包装シート３側の外装シール部１４の幅分を考慮した間隔でカイロ本体２を製造する場合と比べて材料の無駄を削減できる利点がある。
【０１２１】
また、このように包装シート３側の剥離層１２に重ねて粘着層１１を形成しておき、その粘着層１１に重ねるようにカイロ本体２を装着することにより、例えばカイロ本体２側に粘着層１１を形成して包装シート３に装着する場合と比べて粘着層１１の形成、カイロ本体２の装着を共に容易且つ確実に行うことができる。
【０１２２】
なお、吸着搬送ロール１３２と第１ベルト案内ロール１６３との間に巻き掛けられたベルト１５３のみにより吸着搬送ロール１３２の外周側に吸着されたカイロ本体２を確実に離脱させることができる場合には、第２ベルト案内ロール１６４及びその第２ベルト案内ロール１６４と第１ベルト案内ロール１６３とに巻き掛けられたベルト１６９は省略してもよい。
【０１２３】
折り畳み装置２５は、折り畳み行程Ｓ５の処理を行うもので、図５に示すように、スリットカットロール１７１、折り畳み手段１７２等を備えている。
【０１２４】
スリットカットロール１７１は、並列方向にカイロ１の複数個（３個）分が繋がった状態となっている幅広状の包装シート３を、並列方向１個分ずつとなるように搬送方向にカットするもので、カイロ本体装着装置２４の下流側に配置され、その外周面上の一部に、カイロ本体装着済みの包装シート３の例えばカイロ本体装着側の面が圧着されている。
【０１２５】
スリットカットロール１７１は、図１６に示すように、軸方向の２箇所に周方向の切り刃１７１ａを備えており、包装シート３は、この切り刃１７１ａにより、並列方向に装着された３個のカイロ本体２の間で搬送方向に連続的にカットされる。
【０１２６】
折り畳み手段１７２は、スリットカットロール１７１により搬送方向にカットされてカイロ１個分ずつの複数本（３本）の列状となった包装シート３を、その上に装着されたカイロ本体２と共にそのカイロ本体２の中間シール部９ａ，９ｂに沿って折り畳むもので、図５、図１６及び図１７に示すように、折り畳み搬送ベルト１７３、第１折り畳み手段１７２ａ、第２折り畳み手段１７２ｂ、プレスベルト１７６等を備えている。
【０１２７】
折り畳み搬送ベルト１７３は、スリットカットロール１７１で搬送方向にカットされたカイロ本体装着済みの包装シート３を、第１折り畳み手段１７２ａ、第２折り畳み手段１７２ｂを経てプレスベルト１７６まで搬送するもので、包装シート３の外面側（カイロ本体２が装着されていない側）、即ち包装シート３の下側に沿って配置されている。なお、折り畳み搬送ベルト１７３は、並列方向の複数本（３本）の包装シート３に跨って配置してもよいし、それら複数本の包装シート３に夫々対応するように複数本並列に配置してもよい。
【０１２８】
第１折り畳み手段１７２ａは、スリットカットロール１７１で搬送方向にカットされたカイロ本体装着済みの包装シート３の左右一方側、ここでは発熱剤収納部１０ａ側を、中間シール部９ａに沿って内側に折り畳むもので、押さえロール１７４ａ、折り畳み案内板１７５ａ等を備えている。
【０１２９】
押さえロール１７４ａは、カイロ本体２及び包装シート３に対してカイロ本体２の中間シール部９ａに沿って折り曲げ部を形成するためのもので、軸心方向の一端側がカイロ本体２の中間シール部９ａの幅方向略中央に対応するように、折り畳み搬送ベルト１７３に沿って幅方向に配置され、カイロ本体２及び包装シート３の中間シール部９ａに対する内側（発熱剤収納部１０ｂ側）を折り畳み搬送ベルト１７３との間で挟み込んだ状態で下流側の折り畳み案内板１７５ａに案内するようになっている。なお、押さえロール１７４ａは、その上流側のスリットカットロール１７１との間にある程度の距離を空けて配置されている。
【０１３０】
折り畳み案内板１７５ａは、カイロ本体２及び包装シート３の中間シール部９ａに対する外側（発熱剤収納部１０ａ側）を内側（発熱剤収納部１０ｂ側）に重ね合わせるように案内するもので、図１６及び図１７に示すように、搬送方向に長い板状に形成され、押さえロール１７４ａの下流側近傍に折り畳み搬送ベルト１７３に沿って配置されており、その固定半面側の側縁部が、上流側ほど中間シール部９ａ側に近づくように斜めに形成された折り畳み案内部１７７ａとなっている。なお、折り畳み案内板１７５ａは、任意の支持手段（図示省略）を介して上記配置位置に支持されている。
【０１３１】
カイロ本体装着済みの包装シート３は、押さえロール１７４ａの下流側で、中間シール部９ａに沿ってその外側をカイロ本体２が内側となるように内側に折り重ねた状態で、折り畳み案内板１７５ａと折り畳み搬送ベルト１７３との間に挿通され、更に折り畳み案内板１７５ａの下流側の第２折り畳み手段１７２ｂに搬送される。
【０１３２】
第２折り畳み手段１７２ｂは、第１折り畳み手段１７２ａの下流側で、カイロ本体装着済みの包装シート３の反対側、ここでは発熱剤収納部１０ｃ側を、中間シール部９ｂに沿って内側に折り畳むもので、押さえロール１７４ｂ、折り畳み案内板１７５ｂ等を備えている。
【０１３３】
押さえロール１７４ｂは、カイロ本体２及び包装シート３に対してカイロ本体２の中間シール部９ｂに沿って折り曲げ部を形成するためのもので、軸心方向の一端側がカイロ本体２の中間シール部９ｂの幅方向略中央に対応するように、折り畳み搬送ベルト１７３に沿って幅方向に配置され、カイロ本体２及び包装シート３の中間シール部９ｂに対する内側（発熱剤収納部１０ｂ側）を折り畳み搬送ベルト１７３との間で挟み込んだ状態で下流側の折り畳み案内板１７５ｂに案内するようになっている。なお、押さえロール１７４ａは、その上流側の第１折り畳み手段１７２ａとの間にある程度の距離を空けて配置されている。
【０１３４】
折り畳み案内板１７５ｂは、カイロ本体２及び包装シート３の中間シール部９ｂに対する外側（発熱剤収納部１０ｃ側）を内側（発熱剤収納部１０ｂ側）に重ね合わせるように案内するもので、図１６及び図１７に示すように、搬送方向に長い板状に形成され、押さえロール１７４ｂの下流側近傍に折り畳み搬送ベルト１７３に沿って配置されており、その固定半面側の側縁部が、上流側ほど中間シール部９ｂ側に近づくように斜めに形成された折り畳み案内部１７７ｂとなっている。なお、折り畳み案内板１７５ｂは、任意の支持手段（図示省略）を介して上記配置位置に支持されている。
【０１３５】
カイロ本体装着済みの包装シート３は、押さえロール１７４ｂの下流側で、中間シール部９ｂに沿ってその外側をカイロ本体２が内側となるように内側に折り重ねた状態で、折り畳み案内板１７５ｂと折り畳み搬送ベルト１７３との間に挿通され、更に折り畳み案内板１７５ｂの下流側のプレスベルト１７６側に搬送される。
【０１３６】
プレスベルト１７６は、第１折り畳み手段１７２ａ、第２折り畳み手段１７２ｂで折り畳まれたカイロ本体装着済みの包装シート３を、その上流側に一定のテンションを付与しつつ下流側に搬送するもので、図５に示すように、上下一対の搬送ベルト１７６ａ，１７６ｂを備えている。プレスベルト１７６は、その搬送方向が上流側の折り畳み搬送ベルト１７３の搬送方向に対して相対的に前下がりとなっており、また上側の搬送ベルト１７６ａの上流端側は、下側の搬送ベルト１７６ｂの上流端側よりも上流側、即ち折り畳み搬送ベルト１７３側に突出している。
【０１３７】
封止装置２６は、封止行程Ｓ６の処理を行うもので、図５に示すように、外装第１〜第３シール手段１８１〜１８３、プレス手段１８４等を備えている。
【０１３８】
外装第１シール手段１８１は、折り畳み装置２５により折り畳まれた状態でカイロ１個分ずつの並列方向複数本（３本）の列状で搬送されてくるカイロ本体装着済みの包装シート３を、個々のカイロ本体２毎に袋状に封止するもので、カイロ本体装着済みの包装シート３を挟み込むように配置され且つ内部に熱源（図示省略）が配置された一対のシールロール１８５を、複数列（３列）の各包装シート３に対応して複数組（３組）備えている。
【０１３９】
シールロール１８５の外周面上には、図１８に示すように、包装シート３の左右両端側の重ね合わせ部分、即ち張り出し部１６ｂに沿って周方向に配置される縦シール面１８６と、包装シート３上の各カイロ本体２間に対応するように軸心方向に配置される横シール面１８７とが凸状に設けられており、内部の熱源により加熱されたこれらのシール面１８６，１８７でカイロ本体装着済みの包装シート３を上下に挟み込んでシールすることにより、シール部１８８ａ，１８８ｂ（カイロ１の外装シール部１４ａ，１４ｂに対応）が形成される。
【０１４０】
なお、縦シール面１８７は、各カイロ本体２の前後の縁部に沿ってその近傍に対応するように配置されており、形成された外装シール部１４ａがカイロ本体２の縁部に近接するようになっている。また、縦シール面１８６は、張り出し部１６ｂの側縁部よりも若干内側に配置されており、その側縁部と縦シール面１８６との隙間に非シール部１５が形成される。
【０１４１】
外装第２、第３シール手段１８２，１８３は、外装第１シール手段１８１で形成された外装シール部１４ａ，１４ｂ上を再度シールするもので、外装第１シール手段１８１と同様、内部に熱源（図示省略）が配置された一対のシールロール１８９，１９０を、複数列の各包装シート３に対応して複数組備えている。
【０１４２】
外装第２シール手段１８２側のシールロール１８９には、図１９に示すように、例えば外装第１シール手段１８１側の縦シール面１８６に対応する周方向の縦シール面１９１が設けられている。この縦シール面１９１は、例えば外装第１シール手段１８１側の縦シール面１８６よりも細く形成されており、外装第１シール手段１８１で形成されたシール部１８８上を再度シールして再シール部１９２を形成するようになっている。
【０１４３】
また、外装第３シール手段１８３側のシールロール１９０には、図２０に示すように、例えば外装第１シール手段１８１側の横シール面１８７に対応する軸心方向の横シール面１９３が設けられている。この横シール面１９３は、例えば外装第１シール手段１８１側の横シール面１８７よりも細く形成されており、外装第１シール手段１８１で形成されたシール部１８８上を再度シールして再シール部１９４を形成するようになっている。
【０１４４】
プレス手段１８４は、外装第１〜第３シール手段１８１〜１８３において内部にカイロ本体２を挟み込んだ状態でシールされた包装シート３を、その上流側に一定のテンションを付与しつつ下流側に搬送するもので、封止済みの包装シート３を挟み込むように配置された一対のプレスロール１９５を、複数列の各包装シート３に対応して複数組備えている。
【０１４５】
本実施形態の封止工程Ｓ６では、包装シート３とカイロ本体２とが粘着層１１により接着されてカイロ本体２が包装シート３に対して安定した状態で包装シート３をシールするため、カイロ本体２の周縁部に極めて近い位置でのシールが可能である。
【０１４６】
個別搬送装置２７は、個別搬送行程Ｓ７の処理を行うもので、図５に示すように、プレスベルト２０１、カット手段２０２、個別搬送手段２０３等を備えている。
【０１４７】
プレスベルト２０１は、封止装置２６側から並列方向複数本の列状に繋がった状態で搬送されてくるカイロ１を、下流側のカット手段２０２側に搬送するもので、カイロ１を挟み込んで搬送する一対の搬送ベルト２０４を備えている。
【０１４８】
カット手段２０２は、搬送方向に繋がった状態で搬送されてくるカイロ１を１個分ずつにカットするためのもので、幅方向に配置されたカットロール２０５を備えている。カットロール２０５の外周面上には、図２１に示すように、切り刃２０５ａが、搬送方向に繋がったカイロ１における隣接するカイロ本体２の中間位置に対応して軸心方向に配置されている。このカット手段２０２により、搬送方向に繋がっていたカイロ１が切断線２０６において１個分ずつに分割され、製品として完成する。
【０１４９】
個別搬送手段２０３は、１個分ずつにカットされたカイロ１を、下流側装置（図示省略）に搬送するもので、搬送ベルト２０７等を備えている。下流側装置としては、例えば複数個纏めて袋詰めにする袋詰め装置等、種々の装置が想定される。
【０１５０】
以上説明したように、本実施形態の使い捨てカイロ１は、カイロ本体２が、前後方向に形成された略平行な２本の中間シール部９ａ，９ｂにより左右方向に３つの発熱剤収納部１０ａ〜１０ｃに区分され、包装シート３は、その縁部がカイロ本体２の前後方向の両端側と左右方向の少なくとも一端側とに張り出した状態で、粘着層１１に沿って剥離可能に装着され、カイロ本体２及び包装シート３は、包装シート３がカイロ本体２を外側から巻き込み且つ包装シート３の左右一端側の張り出し部１６ｂが他端側において包装シート３の外側に重なるように、中間シール部９ａ，９ｂに沿って折り畳まれており、更に包装シート３は、カイロ本体２の前後の張り出し部１６ａに沿って夫々左右方向に、張り出し部１６ｂに沿って前後方向に、夫々シールされることにより袋状に封止されているため、カイロ本体２の面積が大きい場合でも未使用の包装状態では非常にコンパクトで携帯性に優れており、また包装シート３が包装シートと離型シートとを兼用しているため、使用時に出るゴミが少なく、地球環境に優しいという利点もある。
【０１５１】
左右両側の発熱剤収納部１０ａ，１０ｃの幅は、共に中央の発熱剤収納部１０ｂの幅と略同じに形成されているため、包装状態ではその厚みが発熱剤収納部の厚みの２倍で略均一となり、携帯時や収納時に嵩張らず便利である。
【０１５２】
本実施形態の使い捨てカイロ製造方法は、片面側に剥離層１２が形成された包装シート３の剥離層１２側に粘着層１１を形成する粘着層形成工程Ｓ３ｂと、前後方向に形成された略平行な２本の中間シール部９ａ，９ｂにより発熱剤収納部１０が左右方向に３つに区分されたカイロ本体２を、その非通気性シート７と包装シート３とで粘着層１１を挟み、且つ包装シート３の縁部が当該カイロ本体２の前後方向の両端側と左右方向の少なくとも一端側とに張り出すように包装シート３上に装着するカイロ本体装着工程Ｓ４と、カイロ本体２及び包装シート３を、通気性シート６が内側となり、且つ包装シート３の左右一端側の張り出し部１６ｂが他端側において包装シート３の外側に重なるように、２つの中間シール部９ａ，９ｂに沿って両端側の発熱剤収納部１０ａ，１０ｃ側を中央の発熱剤収納部１０ｂ側に折り畳む折り畳み工程Ｓ５と、包装シート３を、カイロ本体２の前後の張り出し部１６ａに沿って夫々左右方向に、張り出し部１６ｂに沿って前後方向に、夫々シールすることにより包装シート３を袋状に封止する封止工程Ｓ６とを備えているため、上記のような使い捨てカイロ１を容易且つ効率的に製造することができる。
【０１５３】
カイロ本体２を製造し且つそのカイロ本体２を搬送方向に整列させた状態で連続的に下流側に供給するカイロ本体製造工程Ｓ１を備え、このカイロ本体製造工程Ｓ１とその下流側の前記カイロ本体装着工程Ｓ４との間に、前記カイロ本体製造工程Ｓ１から供給される前記カイロ本体２の搬送方向の整列間隔を広げる搬送方向整列間隔変更工程Ｓ２ａと、並列方向の整列間隔を広げる並列方向整列間隔変更工程Ｓ２ｂとを備えているため、例えばカイロ本体製造工程Ｓ１において包装シート３側の外装シール部１４ａ，１４ｂの幅分を考慮した間隔でカイロ本体２を製造する場合と比べて材料の無駄を削減できる利点がある。
【０１５４】
更に、本実施形態の使い捨てカイロ製造装置は、片面側に剥離層１２が形成された包装シート３の剥離層１２側に粘着層１１を形成する粘着層形成装置１２５と、前後方向に形成された略平行な２本の中間シール部９ａ，９ｂにより発熱剤収納部１０が左右方向に３つに区分された前記カイロ本体２を、その非通気性シート７と包装シート３とで粘着層１１を挟み、且つ包装シート３の縁部が当該カイロ本体２の前後方向の両端側と左右方向の少なくとも一端側とに張り出すように包装シート３上に装着するカイロ本体装着装置２４と、カイロ本体２及び包装シート３を、通気性シート６が内側となり、且つ包装シート３の左右一端側の張り出し部１６ｂが他端側において包装シート３の外側に重なるように、２つの中間シール部９ａ，９ｂに沿って両端側の発熱剤収納部１０ａ，１０ｃ側を中央の発熱剤収納部１０ｂ側に折り畳む折り畳み装置２５と、包装シート３を、カイロ本体２の前後の張り出し部１６ａに沿って夫々左右方向に、張り出し部１６ｂに沿って前後方向に、夫々シールすることにより包装シート３を袋状に封止する封止装置２６とを備えているため、上記のような使い捨てカイロ１を容易且つ効率的に製造することができる。
【０１５５】
また、カイロ本体２を製造し且つそのカイロ本体２を搬送方向に整列させた状態で連続的に下流側に供給するカイロ本体製造装置２２を備え、このカイロ本体製造装置２２とその下流側のカイロ本体装着装置２４との間に、カイロ本体製造装置２２から供給されるカイロ本体２の搬送方向の整列間隔を広げる搬送方向整列間隔変更装置１３６と、並列方向の整列間隔を広げる並列方向整列間隔変更装置１３７とを備えているため、例えばカイロ本体製造装置２２において包装シート３側の外装シール部１４ａ，１４ｂの幅分を考慮した間隔でカイロ本体２を製造する場合と比べて材料の無駄を削減できる利点がある。
【０１５６】
図２２〜図２６は本発明の第２の実施形態を例示し、カイロ本体２の粘着層１１を剥離可能に覆う離型シート２１１を、包装シート３とは別に設け、包装シート３と離型シート２１１とを接着した例を示している。
【０１５７】
本実施形態のカイロ１は、図２２に示すように、カイロ本体２と、このカイロ本体２外側を覆う包装シート３とを備えている。
【０１５８】
カイロ本体２の構成は第１の実施形態と同様であり、非通気性シート７の外面側の例えば全体に粘着層１１が形成されている。
【０１５９】
離型シート２１１は、粘着層１１を剥離可能に覆うもので、例えばカイロ本体２と同形状に形成され、粘着層１１に密着する側の面にはシリコン被膜等よりなる剥離層１２が形成されている。
【０１６０】
包装シート３は、剥離層１２が形成されていない点を除き、第１の実施形態と略同様に形成され、離型シート２１１の外面（カイロ本体２と反対側の面）に沿って配置されている。
【０１６１】
また、包装シート３と離型シート２１１とは、所定位置、例えば包装シート３の張り出し部１６ｂ側においてホットメルト接着剤等よりなる接着層２１２により接着されている。なお、この接着層２１２による接着強度は、容易に引き剥がし不可能な程度であることが望ましい。
【０１６２】
本実施形態のカイロ１は、図２３（ｂ）に示すような状態でカイロ本体２を包装シート３により包装することにより形成されている。即ち、カイロ本体２は、通気性シート６が内側、離型シート２１１で覆われた非通気性シート７が外側になるように、中間シール部９ａ，９ｂに沿って、両端側の発熱剤収納部１０ａ，１０ｃを中央の発熱剤収納部１０ｂの一面側（通気性シート６側）に重ねるように折り畳まれている。
【０１６３】
また、包装シート３は、カイロ本体２を離型シート２１１の外側から覆い、且つ発熱剤収納部１０ｃ側の張り出し部１６ｂが発熱剤収納部１０ａ側の包装シート３の外面側に重なるように、カイロ本体２の中間シール部９ａ，９ｂに沿って折り畳まれている。また、包装シート３は、その前後両端側の張り出し部１６ａに左右方向に形成された所定幅の外装シール部１４ａにおいて互いに重なり合う張り出し部１６ａ同士が気密状にシールされ、更に張り出し部１６ｂ上に前後方向に形成された所定幅の外装シール部１４ｂにおいて張り出し部１６ｂとその内側の包装シート３側とが互いに気密状にシールされることにより袋状に封止されている。
【０１６４】
なお、包装シート３はイージーピールフィルムにより構成されているため、シール後の外装シール部１４ａ，１４ｂは軟接着状態となる。また、張り出し部１６ｂの端部側、即ち外装シール部１４ｂの外側には、シールされていない非シール部１５が所定幅で形成されている。
【０１６５】
カイロ本体２を使用する際には、まず図２３（ｃ）に示すように包装シート３の非シール部１５をつまんで外装シール部１４ｂを引き剥がした後、折り畳まれているカイロ本体２を包装シート３と共に広げつつ外装シール部１４ａを引き剥がし、更に包装シート３をカイロ本体２から取り去ればよい。このとき、包装シート３は離型シート２１１に接着されているため、包装シート３をカイロ本体２から取り去る際、離型シート２１１が包装シート３に引っ張られて粘着層１１から剥離される。
【０１６６】
このように、本実施形態のカイロ１では、包装シート３からカイロ本体２を取り出すだけで、離型シート２１１を意識的に剥離することなく粘着層１１が自然に露出され、しかもカイロ本体２から引き剥がされてゴミとして廃棄される包装シート３と離型シート２１１とは互いに接着されているため、第１の実施形態と同様、使用時の取り扱いが極めて容易である。また、カイロ本体２が折り畳まれた状態で包装されているため、小型で携帯性に優れているという利点もある。
【０１６７】
続いて、本実施形態のカイロ１を製造可能な使い捨てカイロ製造方法及び製造装置について説明する。
【０１６８】
本実施形態の使い捨てカイロ製造方法は、図２４に示すように、カイロ本体製造工程Ｓ１、整列間隔変更工程Ｓ２、包装シート前処理工程Ｓ３′、カイロ本体装着工程Ｓ４、接着工程Ｓ４１、折り畳み工程Ｓ５、封止工程Ｓ６、個別搬送工程Ｓ７等を備えている。なお、本実施形態においても、第１の実施形態と同様、カイロ１を複数列、例えば３列同時並行で製造するものとする。
【０１６９】
カイロ本体製造工程Ｓ１は、剥離層形成工程Ｓ１１ａと粘着層形成工程Ｓ１１ｂとを含む離型シート前処理工程Ｓ１１と、離型シート装着工程Ｓ１２とを備えている。また、包装シート前処理工程Ｓ３′は、接着層形成工程Ｓ３ｃを備えている。
【０１７０】
図２５に示す使い捨てカイロ製造装置２１は、上記使い捨てカイロ製造方法Ｓ１〜Ｓ７に従ってカイロ１を製造するためのもので、カイロ本体製造装置２２、包装シート前処理装置２３′、カイロ本体装着装置２４、接着装置２４ａ、折り畳み装置２５、封止装置２６、個別搬送装置２７等を備えている。
【０１７１】
カイロ本体製造装置２２は、カイロ本体製造工程Ｓ１の処理を行うもので、離型シート前処理手段２１３、離型シート装着手段（離型シート装着装置）２１４を備えた点を除き、第１の実施形態と略同様の構成となっている。
【０１７２】
離型シート前処理手段２１３は、離型シート前処理工程Ｓ１１の処理を行うもので、図５に示すように、離型シート供給手段２１５、剥離層形成手段２１６、粘着層形成手段（粘着層形成装置）２１７等を備えている。
【０１７３】
離型シート供給手段２１５は、原反ロール２１８から離型シート２１１を繰り出して下流側に供給するもので、原反ロール２１８が終了したときにその末端側と次の原反ロール２１８′の先端側とをラインを止めることなく自動接続するオートスプライサ２１９を備えている。
【０１７４】
なお、原反ロール２１８から繰り出されたときの離型シート２１１の幅は、非通気性シート７と同様、製品となったときのカイロ本体２の左右方向（発熱剤収納部１０ａ〜１０ｃの配列方向）の幅の略３倍に形成されている。
【０１７５】
剥離層形成手段２１６は、原反ロール２１８から繰り出されたままの幅広長尺状の離型シート２１１にシリコン被膜等よりなる剥離層１２を形成する剥離層形成工程Ｓ１１ａの処理を行うもので、離型シート２１１の裏面側（非通気性シート７側に接する側）の例えば全面に形成するようになっている。
【０１７６】
粘着層形成手段２１７は、離型シート２１１の裏面の剥離層１２に重ねるように粘着層１１を形成する粘着層形成工程Ｓ１１ｂの処理を行うもので、例えば粘着剤を噴射するノズルヘッドを離型シート２１１の幅方向に複数備えており、例えば離型シート２１１の裏面の略全面に粘着層１１を形成するように構成されている。なお、粘着層１１は、必ずしも離型シート２１１の裏面側全体に形成する必要はなく、各発熱剤収納部１０ａ〜１０ｃに対応する３つの略長方形の領域に形成してもよいし、発熱剤収納部１０ａ〜１０ｃに跨る一部の領域に形成してもよいが、全ての発熱剤収納部１０ａ〜１０ｃに対して粘着層１１を設けることが望ましい。また、粘着層１１は、それら所定範囲内に間欠的、例えば縞状、ドット状に形成してもよい。
【０１７７】
離型シート装着手段２１４は、離型シート装着工程Ｓ１２の処理を行うもので、図２５に示すように、一対のプレスロール２１４ａ，２１４ａ等により構成され、原反ロール１０５（図２５）から繰り出された長尺状の非通気性シート７と、離型シート前処理手段２１３側から供給される離型シート２１１とで粘着層１１を挟むように非通気性シート７の一面側に離型シート２１１を装着するようになっている。
【０１７８】
離型シート装着手段２１４により離型シート２１１が装着された非通気性シート７は、非通気性シート供給手段４０により、非通気性シート案内ロール１０４を介して離型シート２１１が外側となるように転移ドラム３８の外周面に供給される。
【０１７９】
包装シート前処理装置２３′は、包装シート前処理工程Ｓ３′の処理を行うもので、図２５に示すように、包装シート供給手段１２１、印刷手段１２３、予熱手段１２４、接着層形成手段（接着層形成装置）２２１等を備えている。
【０１８０】
包装シート供給手段１２１、印刷手段１２３及び予熱手段１２４については第１の実施形態と同様であるため、説明は省略する。
【０１８１】
接着層形成手段２２１は、包装シート３に接着層２１２を形成する接着層形成工程Ｓ３ｃの処理を行うもので、例えば接着剤を噴射するノズルヘッドを備え、図２６に示すように、包装シート３の内面（カイロ本体２を包装したときに内側になる面であって、図２５の接着層形成手段１２２の位置における右面側）側の所定位置、例えばカイロ本体２の装着領域における張り出し部１６ｂ側端部近傍の所定領域に、接着剤を例えば均一に噴射して、接着層２１２を形成するようになっている。
【０１８２】
カイロ本体装着装置２４については、カイロ本体２の非通気性シート７側に離型シート２１１が装着されている点を除き、第１の実施形態と同様であるため、説明は省略する。
【０１８３】
接着装置２４ａは、離型シート２１１と包装シート３とを接着層２１２により接着させる接着工程Ｓ４１の処理を行うためのもので、例えばカイロ本体装着装置２４の下流側で且つ折り畳み装置２５の上流側に配置されており、例えばカイロ本体装着済みの包装シート３を挟み込むように配置され且つ内部に熱源（図示省略）が配置された一対のシールロール２２２を備えている。この一対のシールロール２２２を通過する際に、包装シート３側の接着層２１２が離型シート２１１側に溶着し、包装シート３と離型シート２１１とが接着される。
【０１８４】
折り畳み装置２５、封止装置２６及び個別搬送装置２７については、カイロ本体２と包装シート３との間に離型シート２１１が装着されている点を除き、第１の実施形態と同様であるため、説明は省略する。
【０１８５】
以上説明したように、本実施形態の使い捨てカイロ１は、カイロ本体２が、前後方向に形成された略平行な２本の中間シール部９ａ，９ｂにより発熱剤収納部１０が左右方向に３つに区分され、包装シート３は、その縁部がカイロ本体２の前後方向の両端側と左右方向の少なくとも一端側とに張り出した状態で、離型シート２１１に沿って装着されると共に、離型シート２１１に対して接着され、カイロ本体２、離型シート２１１及び包装シート３は、包装シート３が離型シート２１１を介してカイロ本体２を外側から巻き込み且つ包装シート３の左右一端側の張り出し部１６ｂが他端側において包装シート３の外側に重なるように、中間シール部９ａ，９ｂに沿って折り畳まれており、更に包装シート３は、カイロ本体２の前後の張り出し部１６ａに沿って夫々左右方向に、張り出し部１６ｂに沿って前後方向に、夫々シールされることにより袋状に封止されているため、第１の実施形態と同様、カイロ本体２の面積が大きい場合でも未使用の包装状態では非常にコンパクトで携帯性に優れており、また包装シート３からカイロ本体２を取り出すだけで、離型シート２１１を意識的に剥離することなく粘着層１１が自然に露出され、しかもカイロ本体２から引き剥がされてゴミとして廃棄される包装シート３と離型シート２１１とは互いに接着されているため、使用時の取り扱いが極めて容易である。
【０１８６】
図２７は本発明の第３の実施形態を例示し、包装シート３上の外装シール部１４ａ，１４ｂに対応する部分にのみ、イージーピール性のホットメルト接着剤等よりなる軟接着層２３１を形成するようにした場合の例を示している。
【０１８７】
第１、第２の実施形態では、その少なくとも片面側の全面がイージーピール性を有するスチロール樹脂等により予めコーティングされた包装シート３を想定して説明したが、外装シール部１４ａ，１４ｂにおいてイージーピール性のシールを行うためには、少なくともその外装シール部１４ａ，１４ｂに対応する領域にイージーピール性の接着剤等よりなる軟接着層２３１を形成すれば十分である。
【０１８８】
本実施形態では、図２７に示すように、包装シート３の三方の張り出し部１６ａ，１６ｂに沿った略コの字型の領域に軟接着層２３１が形成されている。なお、前後の張り出し部１６ａ上では、張り出し部１６ｂとは反対側の発熱剤収納部１０ａに対応する部分（図２７に破線で示す領域）については、折り畳んだときにその部分と対向する部分（張り出し部１６ａのうち、発熱剤収納部１０ｂに対応する部分）に軟接着層２３１が形成されているため、軟接着層２３１の形成を省略することができる。但し、この場合には、中間シール部９ａにおける折り畳み位置のズレを考慮して、張り出し部１６ａ上の軟接着層２３１は、発熱剤収納部１０ａ側に若干長めに形成することが望ましい。
【０１８９】
なお、この軟接着層２３１の形成工程は、包装シート前処理工程Ｓ３，Ｓ３′における任意の位置で行えばよい。
【０１９０】
以上、本発明の実施形態を詳述したが、本発明はこの実施形態に限定されるものではなく、本発明の趣旨を逸脱しない範囲で種々の変更が可能である。例えば、発熱剤収納部１０ａ，１０ｂ，１０ｃの形状及び大きさは任意であり、両端側の発熱剤収納部１０ａ，１０ｃを中央の発熱剤収納部１０ｂ側に折り畳むことが可能であればよい。例えば、３つの発熱剤収納部１０ａ〜１０ｃが全て略同じ大きさの略長方形状であってもよい。
【０１９１】
粘着層１１は、カイロ本体２側に形成した後、それを覆うように包装シート３又は離型シート２１１を装着するようにしてもよい。
【０１９２】
包装シート３には、イージーピールフィルム以外の材料を用いることも可能である。この場合には、外装シール部１４は引き剥がし不可能又は困難な接着状態となるため、包装シート３の縁部に非シール部１５に代えて１又は複数のノッチ（Ｉノッチ等）を形成し、使用者が包装シート３を容易に引き裂いて開封できるようにすることが望ましい。また、ノッチを形成するノッチ形成手段は、例えば封止装置２６による封止工程Ｓ６の下流側に配置すればよい。
【０１９３】
第２実施形態では、カイロ本体２を製造する前の段階で、非通気性シート７の一面側に粘着層１１を形成した離型シート２１１を装着したが、粘着層１１及び離型シート２１１は、カイロ本体２の製造後に装着するようにしてもよい。
【０１９４】
カイロ本体２の形状は略長方形に限られるものではなく、２本の中間シール部９ａ，９ｂにより折り畳むことが可能な形状であればよく、円形、長円形、楕円形、六角形等の多角形、その他任意の平面形状を採用できる。また、カイロ本体２は必ずしも線対称の形状である必要はなく、例えば靴の中敷きのようにどのような直線に対しても非対称な形状であってもよい。
【０１９５】
カイロ本体２の各発熱剤収納部１０は、計量ドラム３４、転移ドラム３８のパターン形状、計量側磁石３５、転移側磁石３７の形状等を変更することにより、任意の区分数、任意の形状とすることが可能である。
【０１９６】
実施形態では、冷却手段４３によりカイロ本体２の各シール部１０８，１１３を冷却するように構成したが、例えばマシンスピードが遅い場合にはこの冷却手段４３を省略してもよい。
【０１９７】
折り畳み工程Ｓ５よりも上流側において、シール部９ａ，９ｂに折り目線やミシン目を形成して折り返しをよりスムーズに行えるようにしてもよい。
【０１９８】
包装シート前処理工程Ｓ３を、本使い捨てカイロ製造装置２２による製造工程とは別に行い、その別工程で剥離層１２及び粘着層１１が予め形成された包装シート３を本使い捨てカイロ製造装置２２に供給するようにしてもよい。
【０１９９】
非通気性シート７、粘着層１１、剥離層１２、包装シート３を予め互いに装着した原反を用意しておき、その原反を用いてカイロ本体製造工程Ｓ１を行うようにしてもよい。同様に、非通気性シート７、粘着層１１、剥離層１２、離型シート２１１を互いに装着した原反、又はそれらに更に接着層２１２、包装シート３を互いに装着した原反を予め製造しておき、その原反を用いてカイロ本体製造工程Ｓ１を行うようにしてもよい。
【０２００】
包装シート３、或いは離型シート２１１は、予め片面側に剥離層１２を形成したものを用いてもよい。
【０２０１】
粘着層１１は、包装シート３側、或いは離型シート２１１側ではなく、非通気性シート７側に形成するようにしてもよい。
【０２０２】
実施形態に示した使い捨てカイロ製造方法及び製造装置では、３列同時並行でカイロ１を製造する例を示したが、単列でもよいし、２列又は４列以上であってもよい。
【図面の簡単な説明】
【０２０３】
【図１】本発明の第１の実施形態を示す使い捨てカイロの分解斜視図である。
【図２】（ａ）は本発明の第１の実施形態を示す使い捨てカイロを開いた状態での平面図、（ｂ）は断面図である。
【図３】（ａ）は本発明の第１の実施形態を示す使い捨てカイロを封止した状態での平面断面図、（ｂ）は側面断面図である。
【図４】本発明の第１の実施形態を示すカイロ本体製造方法のブロック図である。
【図５】本発明の第１の実施形態を示すカイロ本体製造装置の全体図である。
【図６】本発明の第１の実施形態を示すカイロ本体製造装置の要部断面図である。
【図７】本発明の第１の実施形態を示す計量ドラムの断面図である。
【図８】本発明の第１の実施形態を示す本体第１シール手段の説明図である。
【図９】本発明の第１の実施形態を示す本体第２シール手段の説明図である。
【図１０】本発明の第１の実施形態を示す冷却手段の説明図である。
【図１１】本発明の第１の実施形態を示す剥離層形成工程及び粘着層形成工程の説明図である。
【図１２】本発明の第１の実施形態を示すカイロ本体装着装置の要部断面図である。
【図１３】本発明の第１の実施形態を示す吸着搬送ロールの断面図である。
【図１４】本発明の第１の実施形態を示すカム部材のカム溝の形状を示す展開図である。
【図１５】本発明の第１の実施形態を示す第１，第２ベルト案内ロールの説明図である。
【図１６】本発明の第１の実施形態を示す折り畳み装置の平面図である。
【図１７】本発明の第１の実施形態を示す折り畳み手段の斜視図である。
【図１８】本発明の第１の実施形態を示す外装第１シール手段の説明図である。
【図１９】本発明の第１の実施形態を示す外装第２シール手段の説明図である。
【図２０】本発明の第１の実施形態を示す外装第３シール手段の説明図である。
【図２１】本発明の第１の実施形態を示すカット手段の説明図である。
【図２２】本発明の第２の実施形態を示す使い捨てカイロの分解斜視図である。
【図２３】（ａ）は本発明の第２の実施形態を示す使い捨てカイロを開いた状態での平面図、（ｂ）は断面図、（ｃ）は開く途中の状態を示す断面図である。
【図２４】本発明の第２の実施形態を示すカイロ本体製造方法のブロック図である。
【図２５】本発明の第２の実施形態を示すカイロ本体製造装置の全体図である。
【図２６】本発明の第２の実施形態を示す接着層形成工程の説明図である。
【図２７】本発明の第３の実施形態を示す使い捨てカイロを開いた状態での平面図である。
【符号の説明】
【０２０４】
１    使い捨てカイロ
２    カイロ本体
３    包装シート
４    発熱剤
６    通気性シート
７    非通気性シート
９ａ，９ｂ  中間シール部
１０，１０ａ〜１０ｃ  発熱剤収納部
１１    粘着層
１２    剥離層
１６ａ，１６ｂ  張り出し部
２２    カイロ本体製造装置
２４    カイロ本体装着装置
２４ａ  接着装置
２５    折り畳み装置
２６    封止装置
１２５    粘着層形成手段（粘着層形成装置）
１３６    搬送方向整列間隔変更装置
１３７    並列方向整列間隔変更装置
２１１    離型シート
２１２    接着層
２１４    離型シート装着手段（離型シート装着装置）
２１７    粘着層形成手段（粘着層形成装置）
２２１    接着層形成手段（接着層形成装置）
Ｓ１    カイロ本体製造工程
Ｓ２ａ  搬送方向整列間隔変更工程
Ｓ２ｂ  並列方向整列間隔変更工程
Ｓ３ｂ  粘着層形成工程
Ｓ４    カイロ本体装着工程
Ｓ５    折り畳み工程
Ｓ６    封止工程
Ｓ１１ｂ  粘着層形成工程
Ｓ１２    離型シート装着工程
Ｓ４１    接着工程
【図１】
2005304613.tif 000003
【図２】
2005304613.tif 000004
【図３】
2005304613.tif 000005
【図４】
2005304613.tif 000006
【図５】
2005304613.tif 000007
【図６】
2005304613.tif 000008
【図７】
2005304613.tif 000009
【図８】
2005304613.tif 000010
【図９】
2005304613.tif 000011
【図１０】
2005304613.tif 000012
【図１１】
2005304613.tif 000013
【図１２】
2005304613.tif 000014
【図１３】
2005304613.tif 000015
【図１４】
2005304613.tif 000016
【図１５】
2005304613.tif 000017
【図１６】
2005304613.tif 000018
【図１７】
2005304613.tif 000019
【図１８】
2005304613.tif 000020
【図１９】
2005304613.tif 000021
【図２０】
2005304613.tif 000022
【図２１】
2005304613.tif 000023
【図２２】
2005304613.tif 000024
【図２３】
2005304613.tif 000025
【図２４】
2005304613.tif 000026
【図２５】
2005304613.tif 000027
【図２６】
2005304613.tif 000028
【図２７】
2005304613.tif 000029